(57)【要約】  移動加入者端末機（ＭＳＳ）と、移動加入者端末機が通信を遂行するサービング基地局（ＢＳ）と、サービング基地局とは相異なる複数の隣接基地局とを含む広帯域無線接続通信システムにおいて、サービング基地局は、移動加入者端末機へ、隣接基地局のうち、移動加入者端末機がハンドオーバーを遂行することができる少なくとも１つの推薦基地局に関する情報と、高速のハンドオーバーを示す指示子情報とを含むハンドオーバー要求メッセージを送信し、推薦基地局の各々へ、移動加入者端末機が高速のハンドオーバーを遂行することを示すハンドオーバー確認メッセージを送信する。
2007536784.tif 000002
【特許請求の範囲】
【請求項１】
移動加入者端末機と、サービング基地局と、前記サービング基地局とは相異なる複数の隣接基地局とを含む広帯域無線接続通信システムにおいて、前記サービング基地局が遂行する前記移動加入者端末機のハンドオーバー方法であって、
前記移動加入者端末機がハンドオーバーしなければならないことを検出するステップと、
前記移動加入者端末機が現在受信しているサービスを、前記複数の隣接基地局の各々が提供することができるか否かを検査するステップと、
前記検査の結果に従って、前記移動加入者端末機が現在受信しているサービスを提供することができる少なくとも１つの推薦基地局を決定するステップと、
前記少なくとも１つの推薦基地局に関する情報を含むハンドオーバー要求を、前記ＭＳＳへ送信するステップと、
前記少なくとも１つの推薦基地局の各々へ、前記移動加入者端末機がハンドオーバーすることを通知するステップと、
前記少なくとも１つの推薦基地局の各々が前記移動加入者端末機のハンドオーバーのための高速のレンジングリソースを割り当てるように制御するステップと
を具備することを特徴とする方法。
【請求項２】
前記推薦基地局のうち、前記移動加入者端末機がハンドオーバーすることを決定したターゲット基地局から、前記移動加入者端末機に対する認証要求を受信するステップと、
前記推薦基地局のうち、前記ターゲット基地局を除いた他の推薦基地局へ、前記移動加入者端末機に割り当てられたレンジングリソースの解除を命令する通知を送信するステップと
をさらに具備することを特徴とする請求項１記載の方法。
【請求項３】
前記推薦基地局のうち、前記移動加入者端末機がハンドオーバーすることを決定したターゲット基地局から、前記移動加入者端末機のハンドオーバー過程の完了を示す情報を受信するステップと、
前記推薦基地局のうち、前記ターゲット基地局を除いた他の推薦基地局へ、前記移動加入者端末機に割り当てられたレンジングリソースの解除を命令する通知を送信するステップと
をさらに具備することを特徴とする請求項１記載の方法。
【請求項４】
前記サービング基地局が、前記移動加入者端末機へ、高速のハンドオーバーの遂行であることを示す情報を含むハンドオーバー要求を送信することを特徴とする請求項１記載の方法。
【請求項５】
前記サービング基地局が、前記移動加入者端末機から、任意のターゲット基地局の識別子を含むと共に、前記ハンドオーバー要求に対応する応答を受信することを特徴とする請求項１記載の方法。
【請求項６】
前記サービング基地局が、前記移動加入者端末機から、前記移動加入者端末機と前記サービング基地局との間であらかじめ定義された値を含むと共に、前記ハンドオーバー要求に対応する応答を受信することを特徴とする請求項１記載の方法。
【請求項７】
前記サービング基地局が、前記複数の隣接基地局へ、前記移動加入者端末機が受信しているサービス情報及び動作コンテキスト情報をバックボーンメッセージを用いて提供することを特徴とする請求項１記載の方法。
【請求項８】
移動加入者端末機と、サービング基地局と、前記サービング基地局とは相異なる複数の隣接基地局とを含む広帯域無線接続通信システムにおいて、前記移動加入者端末機がハンドオーバーを遂行する方法であって、
前記サービング基地局から、前記移動加入者端末機がハンドオーバーすることができる推薦基地局に関する情報を含むハンドオーバー要求を受信するステップと、
前記推薦基地局のうち、前記移動加入者端末機がハンドオーバーの遂行を希望するターゲット基地局を決定するステップと、
前記ターゲット基地局が前記移動加入者端末機の高速のハンドオーバーのために提供する高速のレンジングリソースを使用して、前記ターゲット基地局と高速のハンドオーバーを遂行するステップと
を具備することを特徴とする方法。
【請求項９】
前記ターゲット基地局を決定するステップは、
前記推薦基地局の各々に関してチャンネル品質を測定する過程で、あらかじめ定められたしきい値以上を満足する基地局を検出するステップと、
前記検出された基地局をターゲット基地局として決定するステップと、
他の推薦基地局のチャンネル品質測定を中止するステップと
を具備することを特徴とする請求項８記載の方法。
【請求項１０】
前記チャンネル品質測定は、キャリア対干渉雑音比(ＣＩＮＲ)を測定することによってなされることを特徴とする請求項９記載の方法。
【請求項１１】
前記ターゲット基地局を決定するステップは、
前記推薦基地局の各々に関してチャンネル品質を測定するステップと、
前記チャンネル品質がもっとも良い基地局をターゲット基地局として決定するステップと
を具備することを特徴とする請求項８記載の方法。
【請求項１２】
前記チャンネル品質測定は、キャリア対干渉雑音比(ＣＩＮＲ)を測定することによってなされることを特徴とする請求項１１記載の方法。
【請求項１３】
前記推薦基地局の各々から、高速のレンジングリソースを受信するステップをさらに具備することを特徴とする請求項８記載の方法。
【請求項１４】
前記サービング基地局からハンドオーバー要求を受信すると、前記サービング基地局が推薦した基地局のうちの１つに前記移動加入者端末機がハンドオーバーすることを示す通知を、前記サービング基地局へ送信するステップをさらに具備することを特徴とする請求項８記載の方法。
【請求項１５】
移動加入者端末機と、サービング基地局と、前記サービング基地局とは相異なる複数の隣接基地局とを含む広帯域無線接続通信システムにおいて、ハンドオーバーを遂行する方法であって、
前記サービング基地局は、前記移動加入者端末機がハンドオーバーしなければならないことを検出すると、前記移動加入者端末機が現在受信しているサービスを、前記複数の隣接基地局の各々が提供することができるか否かを検査するステップと、
前記サービング基地局は、前記検査の結果に従って、前記移動加入者端末機が現在受信しているサービスを提供することができる少なくとも１つの推薦基地局を決定し、前記移動加入者端末機へ、前記推薦基地局に関する情報を含むハンドオーバー要求を送信するステップと、
前記サービング基地局は、前記推薦基地局の各々へ、前記移動加入者端末機がハンドオーバーすることを示す通知を送信し、前記移動加入者端末機の高速のハンドオーバーのための高速のレンジングリソースを割り当てるように、前記推薦基地局の各々を制御するステップと、
前記移動加入者端末機は、前記サービング基地局から、前記移動加入者端末機がハンドオーバーすることができる前記少なくとも１つの推薦基地局に関する情報を含むハンドオーバー要求を受信するステップと、
前記移動加入者端末機は、前記推薦基地局のうち、ハンドオーバーの遂行を希望するターゲット基地局を決定し、前記ターゲット基地局が前記ハンドオーバーのために提供する高速のレンジングリソースを使用して、前記ターゲット基地局と高速のハンドオーバーを遂行するステップと
を具備することを特徴とする方法。
【請求項１６】
前記サービング基地局は、前記推薦基地局のうち、前記移動加入者端末機がハンドオーバーすることを決定したターゲット基地局から、前記移動加入者端末機に対する認証要求を受信するステップと、
前記推薦基地局から前記ターゲット基地局を除いた他の推薦基地局の各々へ、前記移動加入者端末機に割り当てられたレンジングリソースの解除を命令する通知を送信するステップと
をさらに具備することを特徴とする請求項１５記載の方法。
【請求項１７】
前記サービング基地局は、前記推薦基地局のうち、前記移動加入者端末機がハンドオーバーすることを決定したターゲット基地局から、前記移動加入者端末機のハンドオーバー過程の完了を示す情報を受信するステップと、
前記推薦基地局から前記ターゲット基地局を除いた他の推薦基地局の各々へ、前記移動加入者端末機に割り当てられたレンジングリソースの解除を命令する通知を送信するステップと
をさらに具備することを特徴とする請求項１５記載の方法。
【請求項１８】
前記サービング基地局は、前記移動加入者端末機へ、高速のハンドオーバーを示す情報を含むハンドオーバー要求を送信することを特徴とする請求項１５記載の方法。
【請求項１９】
前記移動加入者端末機は、前記サービング基地局へ、任意のターゲット基地局の識別子を含むと共に、前記ハンドオーバー要求に対応する応答を送信することを特徴とする請求項１５記載の方法。
【請求項２０】
前記移動加入者端末機は、前記サービング基地局へ、前記移動加入者端末機と前記サービング基地局との間であらかじめ定義された値を含むと共に、前記ハンドオーバー要求に対応する応答を送信することを特徴とする請求項１５記載の方法。
【請求項２１】
前記サービング基地局は、前記複数の隣接基地局へ、前記移動加入者端末機が受信しているサービスに関する情報及び動作コンテキスト情報をバックボーンメッセージを用いて提供することを特徴とする請求項１５記載の方法。
【請求項２２】
移動加入者端末機と、サービング基地局と、前記サービング基地局と相異なる複数の隣接基地局とを含む広帯域無線接続通信システムにおけるハンドオーバーシステムであって、
前記移動加入者端末機がハンドオーバーしなければならないことを検出すると、前記移動加入者端末機が現在受信しているサービスを、前記複数の隣接基地局の各々が提供することができるか否かを検査し、前記検査の結果に従って、前記移動加入者端末機が現在受信しているサービスを提供することができる少なくとも１つの推薦基地局を決定し、前記少なくとも１つの推薦基地局に関する情報を含むハンドオーバー要求を前記ＭＳＳへ送信し、前記少なくとも１つの推薦基地局の各々へ、前記移動加入者端末機がハンドオーバーすることを通知し、前記少なくとも１つの推薦基地局の各々が前記移動加入者端末機のハンドオーバーのための高速のレンジングリソースを割り当てるように制御するサービング基地局と、
前記サービング基地局から、前記移動加入者端末機がハンドオーバーすることができる推薦基地局に関する情報を含むハンドオーバー要求を受信し、前記推薦基地局のうち、前記移動加入者端末機がハンドオーバーの遂行を希望するターゲット基地局を決定し、前記ターゲット基地局が前記移動加入者端末機の高速のハンドオーバーのために提供する高速のレンジングリソースを使用して、前記ターゲット基地局と高速のハンドオーバーを遂行する移動加入者端末機と
を具備することを特徴とするシステム。
【請求項２３】
前記サービング基地局は、前記ターゲット基地局から前記移動加入者端末機に対する認証要求を受信すると、前記推薦基地局のうち、前記ターゲット基地局を除いた他の推薦基地局へ、前記移動加入者端末機に割り当てられたレンジングリソースの解除を命令する通知を送信することを特徴とする請求項２２記載のシステム。
【請求項２４】
前記サービング基地局は、前記ターゲット基地局から前記移動加入者端末機のハンドオーバー過程の完了を示す情報を受信すると、前記推薦基地局のうち、前記ターゲット基地局を除いた他の推薦基地局へ、前記移動加入者端末機に割り当てられたレンジングリソースの解除を命令する通知を送信することを特徴とする請求項２２記載のシステム。
【請求項２５】
前記サービング基地局は、高速のハンドオーバーを示す情報を含むハンドオーバー要求を送信することを特徴とする請求項２２記載のシステム。
【請求項２６】
前記移動加入者端末機は、前記サービング基地局からのハンドオーバー要求に応じて、前記サービング基地局が推薦した前記少なくとも１つの基地局のうちの任意のターゲット基地局へハンドオーバーすることを示す通知を、前記サービング基地局へ送信することを特徴とする請求項２２記載のシステム。
【請求項２７】
前記移動加入者端末機は、前記推薦基地局の各々に対して、チャンネル品質を測定する過程で、あらかじめ定められたしきい値以上を満足する基地局を検出すると、前記検出された基地局をターゲット基地局として決定し、他の推薦基地局のチャンネル品質測定を中止することを特徴とする請求項２２記載のシステム。
【請求項２８】
前記チャンネル品質測定は、キャリア対干渉雑音比(ＣＩＮＲ)を測定することによってなされることを特徴とする請求項２７記載のシステム。
【請求項２９】
前記移動加入者端末機は、前記推薦基地局の各々に関してチャンネル品質を測定し、前記チャンネル品質がもっとも良い基地局をターゲット基地局として決定することを特徴とする請求項２２記載のシステム。
【請求項３０】
前記チャンネル品質測定は、キャリア対干渉雑音比(ＣＩＮＲ)を測定することによってなされることを特徴とする請求項２９記載のシステム。
【請求項３１】
前記移動加入者端末機は、前記サービング基地局へ、任意のターゲット基地局の識別子を含むと共に、前記ハンドオーバー要求に対応する応答を送信することを特徴とする請求項２２記載のシステム。
【請求項３２】
前記移動加入者端末機は、前記サービング基地局へ、前記移動加入者端末機と前記サービング基地局との間であらかじめ定義された値を含むと共に、前記ハンドオーバー要求に対応する応答を送信することを特徴とする請求項２２記載のシステム。
【請求項３３】
前記サービング基地局は、前記複数の隣接基地局へ、前記移動加入者端末機が受信しているサービスに関する情報及び動作コンテキスト情報をバックボーンメッセージを用いて提供することを特徴とする請求項２２記載のシステム。
【請求項３４】
移動加入者端末機と、サービング基地局と、前記サービング基地局とは相異なる複数の隣接基地局とを含む広帯域無線接続通信システムにおいて、前記サービング基地局が遂行する前記移動加入者端末機のハンドオーバー方法であって、
前記移動加入者端末機へ、前記隣接基地局のうち、前記移動加入者端末機がハンドオーバーを遂行することができる少なくとも１つの推薦基地局に関する情報と、前記サービング基地局がネットワークで支援されるハンドオーバーを支援することを示す指示子情報とを含むハンドオーバー要求メッセージを送信するステップと、
前記少なくとも１つの推薦基地局の各々へ、前記移動加入者端末機がネットワークで支援されるハンドオーバーを遂行することを示すハンドオーバー確認メッセージを送信するステップと
を具備することを特徴とする方法。
【請求項３５】
前記サービング基地局は、前記推薦基地局のうち、前記移動加入者端末機がハンドオーバーすることを決定したターゲット基地局から、前記移動加入者端末機に対する認証要求を受信するステップと、
前記推薦基地局から前記ターゲット基地局を除いた他の推薦基地局の各々へ、前記移動加入者端末機に割り当てられたレンジングリソースの解除を命令する通知を送信するステップと
をさらに具備することを特徴とする請求項３４記載の方法。
【請求項３６】
前記サービング基地局は、前記推薦基地局のうち、前記移動加入者端末機がハンドオーバーすることを決定したターゲット基地局から、前記移動加入者端末機のハンドオーバー過程の完了を示す情報を受信するステップをさらに具備することを特徴とする請求項３４記載の方法。
【請求項３７】
前記サービング基地局は、前記推薦基地局から前記ターゲット基地局を除いた他の推薦基地局の各々へ、前記移動加入者端末機に割り当てられたレンジングリソースの解除を命令する通知を送信するステップをさらに具備することを特徴とする請求項３６記載の方法。
【請求項３８】
前記ネットワークで支援されるハンドオーバーは、前記移動加入者端末機がサービング基地局へ選択されたターゲット基地局に関する情報を通知することなく、ハンドオーバーを遂行することができることを示すことを特徴とする請求項３４記載の方法。
【請求項３９】
移動加入者端末機と、サービング基地局と、前記サービング基地局とは相異なる複数の隣接基地局とを含む広帯域無線接続通信システムにおいて、前記移動加入者端末機がハンドオーバーを遂行する方法であって、
前記サービング基地局から、前記隣接基地局のうち、前記移動加入者端末機がハンドオーバーを遂行することができる少なくとも１つの推薦基地局に関する情報と、前記サービング基地局がネットワークで支援されるハンドオーバーを支援することを示す指示子情報とを含むハンドオーバー要求メッセージを受信するステップと、
前記サービング基地局へ、前記移動加入者端末機がハンドオーバーの遂行を希望するターゲット基地局に関する情報を含まないハンドオーバー指示メッセージを送信するステップと、
を具備することを特徴とする方法。
【請求項４０】
前記ターゲット基地局から、前記移動加入者端末機のハンドオーバーのための高速のレンジングリソースを受信するステップと、
前記ターゲット基地局へ、レンジング要求メッセージを送信するステップと、
前記ターゲット基地局から、レンジング応答メッセージを受信するステップと
をさらに具備することを特徴とする請求項３９記載の方法。
【請求項４１】
移動加入者端末機と、サービング基地局と、前記サービング基地局とは相異なる複数の隣接基地局とを含む広帯域無線接続通信システムにおいて、ハンドオーバーを遂行する方法であって、
前記サービング基地局が、前記移動加入者端末機へ、前記隣接基地局のうち、前記移動加入者端末機が高速のハンドオーバーを遂行することができる少なくとも１つの推薦基地局に関する情報と、前記推薦基地局のうち、前記移動加入者端末機がハンドオーバーすることに決定したターゲット基地局に対する前記高速のハンドオーバーを命令するための指示子情報とを含むハンドオーバー要求メッセージを送信するステップと、
前記移動加入者端末機が、ハンドオーバーすることに決定したターゲット基地局に関する情報を前記サービング基地局へ送信するステップと、
前記ターゲット基地局に対する前記高速のハンドオーバーを遂行するステップと
を具備することを特徴とする方法。
【請求項４２】
前記移動加入者端末機は、前記決定されたターゲット基地局に関する情報を前記サービング基地局へ送信せず、前記高速のハンドオーバーを遂行することを特徴とする請求項４１記載の方法。
【発明の詳細な説明】
【技術分野】
【０００１】
本発明は、広帯域無線接続通信システムに関し、特に、サービング基地局がハンドオーバーを要求して、移動加入者端末機の高速のハンドオーバーを遂行するためのシステム及び方法に関する。
【背景技術】
【０００２】
次世代通信システムである第４世代(４ｔｈ  Ｇｅｎｅｒａｔｉｏｎ：以下、“４Ｇ”とする)通信システムでは、約１０Ｍｂｐｓの伝送速度を有する多様なサービス品質(Ｑｕａｌｉｔｙ  ｏｆ  Ｓｅｒｖｉｃｅ：以下、“ＱｏＳ”とする）を有するサービスをユーザーに提供するための活発な研究が進んでいる。最近、４Ｇ通信システムでは、無線近距離通信ネットワーク(Ｌｏｃａｌ  Ａｒｅａ  Ｎｅｔｗｏｒｋ：以下、“ＬＡＮ”とする)システム及び無線都市地域ネットワーク(Ｍｅｔｒｏｐｏｌｉｔａｎ  Ａｒｅａ  Ｎｅｔｗｏｒｋ：以下、“ＭＡＮ”とする)システムのような広帯域無線接続(Ｂｒｏａｄｂａｎｄ  Ｗｉｒｅｌｅｓｓ  Ａｃｃｅｓｓ：ＢＷＡ)通信システムに、移動性(ｍｏｂｉｌｉｔｙ）とサービス品質(ＱｏＳ）を保証する形態で高速サービスを支援するための研究が活発になされている。その代表的な通信システムが、ＩＥＥＥ(Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ)８０２.１６ａ通信システム及びＩＥＥＥ８０２.１６ｅ通信システムである。
【０００３】
ＩＥＥＥ８０２.１６ａ通信システム及びＩＥＥＥ８０２.１６ｅ通信システムは、無線ＭＡＮシステムの物理チャンネル(ｐｈｙｓｉｃａｌ  ｃｈａｎｎｅｌ)に、広帯域伝送ネットワークを支援するために直交周波数分割多重(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、“ＯＦＤＭ”とする)方式／直交周波数分割多元接続(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：以下、“ＯＦＤＭＡ”とする)方式を適用する。ＩＥＥＥ８０２.１６ａ通信システムは、現在の加入者端末機(Ｓｕｂｓｃｒｉｂｅｒ  Ｓｔａｔｉｏｎ：以下、“ＳＳ”とする)が固定された状態、すなわち、ＳＳの移動性を全く考慮しない状態、及び単一セル構造のみを考慮している。これに対して、ＩＥＥＥ８０２.１６ｅ通信システムは、ＩＥＥＥ８０２.１６ａ通信システムにＳＳの移動性を考慮するシステムである。ここで、移動性を有するＳＳは、移動加入者端末機(Ｍｏｂｉｌｅ  Ｓｕｂｓｃｒｉｂｅｒ  Ｓｔａｔｉｏｎ；ＭＳＳ)と称する。
【０００４】
上記ＩＥＥＥ８０２.１６ｅ通信システムの構造は、図１を参照して詳細に説明する。
【０００５】
図１は、従来のＩＥＥＥ８０２.１６ｅ通信システムの構造を概略的に示す。
【０００６】
図１を参照すると、ＩＥＥＥ８０２.１６ｅ通信システムは、多重セル構造、すなわち、セル１００とセル１５０を有する。また、ＩＥＥＥ８０２.１６ｅ通信システムは、セル１００を管理するＢＳ(Ｂａｓｅ  Ｓｔａｔｉｏｎ：ＢＳ)１１０と、セル１５０を管理するＢＳ１４０と、複数のＭＳＳ１１１，１１３，１３０，１５１，１５３とを含む。そして、ＢＳ１１０，１４０とＭＳＳ１１１，１１３，１３０，１５１，１５３との間の信号送受信は、ＯＦＤＭ／ＯＦＤＭＡ方式を使用して遂行される。ここで、ＭＳＳ１１１，１１３，１３０，１５１，１５３の中で、ＭＳＳ１３０は、セル１００とセル１５０との境界領域、すなわち、ハンドオーバー(ｈａｎｄｏｖｅｒ)領域に位置する。したがって、ＭＳＳ１３０がＢＳ１１０と信号を送受信する間にＢＳ１４０が管理するセル１５０に移動すると、そのＭＳＳ１３０に対するサービングＢＳ(ｓｅｒｖｉｎｇ  ＢＳ)がＢＳ１１０からＢＳ１４０に変更される。
【０００７】
図２は、従来のＩＥＥＥ８０２.１６ｅ通信システムにおけるＭＳＳの要求によるハンドオーバー過程を示す信号フローチャートである。
【０００８】
図２を参照すると、サービングＢＳ２１０は、ＭＳＳ２００に移動加入者端末機隣接ＢＳ広告(Ｍｏｂｉｌｅ  Ｎｅｉｇｈｂｏｒ  Ａｄｖｅｒｔｉｓｅｍｅｎｔ：以下、“ＭＯＢ_ＮＢＲ_ＡＤＶ”とする)メッセージを送信する(ステップ２１１)。上記ＭＯＢ_ＮＢＲ_ＡＤＶメッセージは、下記＜表１＞に示すような構造を有する。
【０００９】
【表１】
2007536784.tif 000003
【００１０】
＜表１＞に示すように、ＭＯＢ_ＮＢＲ_ＡＤＶメッセージは、複数の情報要素（ＩＥ）、すなわち、送信されるメッセージのタイプを示す“Ｍａｎａｇｅｍｅｎｔ  Ｍｅｓｓａｇｅ  Ｔｙｐｅ”と、ネットワーク識別子(Ｉｄｅｎｔｉｆｉｅｒ：ＩＤ)を示す“Ｏｐｅｒａｔｏｒ  ＩＤ”と、構成(ｃｏｎｆｉｇｕｒａｔｉｏｎ)が変更される数を示す“Ｃｏｎｆｉｇｕｒａｔｉｏｎ  Ｃｈａｎｇｅ  Ｃｏｕｎｔ”と、隣接ＢＳの個数を示す“Ｎ_ＮＥＩＧＨＢＯＲＳ”と、前記隣接ＢＳの識別子を示す“Ｎｅｉｇｈｂｏｒ  ＢＳ−ＩＤ”と、前記隣接ＢＳの物理チャンネル周波数を示す“Ｐｈｙｓｉｃａｌ  Ｆｒｅｑｕｅｎｃｙ”と、前記情報以外に前記隣接ＢＳに関連したその他の情報を示す“ＴＬＶ  Ｅｎｃｏｄｅｄ  Ｎｅｉｇｈｂｏｒ  Ｉｎｆｏｒｍａｔｉｏｎ”とを含む。
【００１１】
ＭＳＳ２００は、ＭＯＢ_ＮＢＲ_ＡＤＶメッセージを受信することによって隣接ＢＳに関する情報を獲得することが可能である。また、ＭＳＳ２００が隣接ＢＳ及びサービングＢＳ２１０から送信されるパイロットチャンネル信号のキャリア対干渉雑音比(Ｃａｒｒｉｅｒ  ｔｏ  Ｉｎｔｅｒｆｅｒｅｎｃｅ  ａｎｄ  Ｎｏｉｓｅ  Ｒａｔｉｏ：以下、“ＣＩＮＲ”と称する)をスキャニングしようとする時に、サービングＢＳ２１０に移動加入者端末機スキャン要求(Ｍｏｂｉｌｅ  Ｓｃａｎｎｉｎｇ  Ｉｎｔｅｒｖａｌ  Ａｌｌｏｃａｔｉｏｎ  Ｒｅｑｕｅｓｔ：以下、“ＭＯＢ_ＳＣＮ_ＲＥＱ”とする)メッセージを送信する(ステップ２１３)。上記ＭＯＢ_ＳＣＮ_ＲＥＱメッセージは、＜表２＞に示すような構造を有する。
【００１２】
【表２】
2007536784.tif 000004
【００１３】
＜表２＞に示すように、ＭＯＢ_ＳＣＮ_ＲＥＱメッセージは、複数のＩＥ、すなわち、送信されるメッセージのタイプを示す“Ｍａｎａｇｅｍｅｎｔ  Ｍｅｓｓａｇｅ  Ｔｙｐｅ”と、隣接ＢＳから送信されるパイロット信号のＣＩＮＲをスキャニングしようとするスキャン区間を示す“Ｓｃａｎ  Ｄｕｒａｔｉｏｎ”と、スキャニング動作を始めるフレームを示す“Ｓｔａｒｔ  Ｆｒａｍｅ”とを含む。“Ｓｃａｎ  Ｄｕｒａｔｉｏｎ”は、フレーム単位で構成される。＜表２＞において、ＭＯＢ_ＳＣＮ_ＲＥＱメッセージの管理メッセージタイプは現在決定されない状態である(“Ｍａｎａｇｅｍｅｎｔ  Ｍｅｓｓａｇｅ  Ｔｙｐｅ”＝ｕｎｄｅｆｉｎｅｄ)。ここで、ＭＳＳ２００がスキャン要求をする時点は、パイロットチャンネル信号のＣＩＮＲスキャニング動作と直接的な関連がないため、ここでは、その具体的な説明を省略する。
【００１４】
一方、ＭＯＢ_ＳＣＮ_ＲＥＱメッセージを受信したサービングＢＳ２１０は、ＭＳＳ２００がスキャニングする情報を含み、スキャニング区間が０でない移動加入者端末機スキャン応答(Ｍｏｂｉｌｅ  Ｓｃａｎｎｉｎｇ  Ｉｎｔｅｒｖａｌ  Ａｌｌｏｃａｔｉｏｎ  Ｒｅｓｐｏｎｓｅ：以下、“ＭＯＢ_ＳＣＮ_ＲＳＰ”とする)メッセージをＭＳＳ２００へ送信する(ステップ２１５)。上記ＭＯＢ_ＳＣＮ_ＲＳＰメッセージの構造は、下記＜表３＞に示す通りである。
【００１５】
【表３】
2007536784.tif 000005
【００１６】
＜表３＞に示すように、ＭＯＢ_ＳＣＮ_ＲＳＰメッセージは、複数のＩＥ、すなわち、送信されるメッセージのタイプを示す“Ｍａｎａｇｅｍｅｎｔ  Ｍｅｓｓａｇｅ  Ｔｙｐｅ”と、ＭＯＢ_ＳＣＮ_ＲＥＱメッセージを送信したＭＳＳの接続識別子(Ｃｏｎｎｅｃｔｉｏｎ  ＩＤ：以下、“ＣＩＤ”とする)と、スキャン区間の“Ｄｕｒａｔｉｏｎ”と、スキャン動作を始める時点とを含む。＜表３＞において、ＭＯＢ_ＳＣＮ_ＲＳＰメッセージが伝送される管理メッセージタイプは、現在決定されない状態である(Ｍａｎａｇｅｍｅｎｔ  Ｍｅｓｓａｇｅ  Ｔｙｐｅ＝ｕｎｄｅｆｉｎｅｄ)。また、スキャン区間はＭＳＳがパイロットＣＩＮＲスキャニングを遂行する区間を示し、その区間の値が０である場合に、ＭＳＳ２００のスキャニング要求が拒否されることを示す。
【００１７】
スキャニング情報を含むＭＯＢ_ＳＣＮ_ＲＳＰメッセージを受信したＭＳＳ２００は、ＭＯＢ_ＮＢＲ_ＡＤＶメッセージの受信を通じて認識された隣接ＢＳ及びサービングＢＳ２１０に対して、ＭＯＢ_ＳＣＮ_ＲＳＰメッセージに含まれているパラメーター、すなわちスキャン区間により、パイロットチャンネル信号のＣＩＮＲスキャニングを遂行する(ステップ２１７)。
【００１８】
隣接ＢＳ及びサービングＢＳ２１０から受信されるパイロットチャンネル信号のＣＩＮＲのスキャニングを完了した後に、ＭＳＳ２００は、現在ＭＳＳ２００が属しているサービングＢＳを、ＢＳ２１０と相互に異なる新たなＢＳに変更するべきであるか否かを決定する（ステップ２１９）。ＭＳＳ２００が現在のサービングＢＳを変更することを決定した場合、ＭＳＳ２００は、サービングＢＳ２１０にＭＳＳハンドオーバー要求(Ｍｏｂｉｌｅ  Ｓｕｂｓｃｒｉｂｅｒ  Ｓｔａｔｉｏｎ  ＨａｎｄＯｖｅｒ  Ｒｅｑｕｅｓｔ：以下、“ＭＯＢ_ＭＳＳＨＯ_ＲＥＱ”とする)メッセージを送信する(ステップ２２１)。ここで、ＭＳＳ２００が現在属しているサービングＢＳでない新たなＢＳ、すなわち、ＭＳＳ２００がハンドオーバーして新たなサービングＢＳとなる可能性のあるＢＳを“ターゲットＢＳ”と称する。また、ＭＯＢ_ＭＳＳＨＯ_ＲＥＱメッセージ構造は、下記＜表４＞に示す通りである。
【００１９】
【表４】
2007536784.tif 000006
【００２０】
＜表４＞に示すように、ＭＯＢ_ＭＳＳＨＯ_ＲＥＱメッセージは、複数のＩＥ、すなわち、送信されるメッセージのタイプを示す“Ｍａｎａｇｅｍｅｎｔ  Ｍｅｓｓａｇｅ  Ｔｙｐｅ”と、ＭＳＳ２００によるサービングＢＳ及び複数の隣接ＢＳのパイロットチャンネル信号のＣＩＮＲスキャニングの結果とを含む。＜表４＞において、“Ｎ_Ｒｅｃｏｍｍｅｎｄｅｄ”は、ＭＳＳによる隣接ＢＳの各々に対するパイロットチャンネル信号のＣＩＮＲスキャニングの結果に基づいて、予め設定したＣＩＮＲ以上のサイズを有するパイロットチャンネル信号を送信した隣接ＢＳの個数を示す。その結果、“Ｎ_Ｒｅｃｏｍｍｅｎｄｅｄ”は、ＭＳＳ２００がハンドオーバーするように推薦する隣接ＢＳの個数を示す。ＭＯＢ_ＭＳＳＨＯ_ＲＥＱメッセージは、Ｎ_Ｒｅｃｏｍｍｅｎｄｅｄで示す隣接ＢＳの各々に対するＩＤと、隣接ＢＳの各々に対するパイロットチャンネル信号のＣＩＮＲ平均値と、前記隣接ＢＳがＭＳＳへ提供するものと予想されるサービスレベルと、隣接ＢＳをターゲットＢＳとして選択してハンドオーバーを開始するものと予想される時刻(Ｅｓｔｉｍａｔｅｄ  ＨＯ  Ｔｉｍｅ)とを含む。
【００２１】
ＭＳＳ２００から送信されたＭＯＢ_ＭＳＳＨＯ_ＲＥＱメッセージを受信すると、サービングＢＳ２１０は、受信したＭＯＢ_ＭＳＳＨＯ_ＲＥＱメッセージのＮ_Ｒｅｃｏｍｍｅｎｄｅｄ情報を用いて、ＭＳＳ２００がハンドオーバー可能なターゲットＢＳリストを検出する(ステップ２２３)。説明の便宜上、ハンドオーバー可能なターゲットＢＳのリストは、“ハンドオーバー可能ターゲットＢＳリスト”と呼ばれる。図２において、ハンドオーバー可能ターゲットＢＳリストに、第１のターゲットＢＳ２２０及び第２のターゲットＢＳ２３０が存在すると仮定する。また、ハンドオーバー可能ターゲットＢＳリストは、複数のターゲットＢＳを含むことが可能である。サービングＢＳ２１０は、ハンドオーバー可能ターゲットＢＳリストに属するターゲットＢＳ、すなわち、第１のターゲットＢＳ２２０及び第２のターゲットＢＳ２３０に、ハンドオーバー通知(以下、“ＨＯ_ＰＲＥ_ＮＯＴＩＦＩＣＡＴＩＯＮ”とする)メッセージを送信する(ステップ２２５，２２７)。上記ＨＯ_ＰＲＥ_ＮＯＴＩＦＩＣＡＴＩＯＮメッセージは、下記＜表５＞に示すような構造を有する。
【００２２】
【表５】
2007536784.tif 000007
【００２３】
＜表５＞に示すように、ＨＯ_ＰＲＥ_ＮＯＴＩＦＩＣＡＴＩＯＮメッセージは、複数のＩＥ、すなわち、バックボーンネットワーク(ｂａｃｋｂｏｎｅ  ｎｅｔｗｏｒｋ)においてＢＳとの間で交換されるメッセージに共通的に含まれる“Ｇｌｏｂａｌ  Ｈｅａｄｅｒ”と、第１のターゲットＢＳ２２０又は第２のターゲットＢＳ２３０にハンドオーバーしようとするＭＳＳ２００の識別子(ＭＳＳ ＩＤ)と、ＭＳＳ２００がハンドオーバーの開始時点として予想される時刻を示す“Ｅｓｔｉｍａｔｅｄ  Ｔｉｍｅ  ｔｏ  ＨＯ”と、ＭＳＳ２００から新たなサービングＢＳとなるターゲットＢＳに要求される帯域幅情報を示す“Ｒｅｑｕｉｒｅｄ  ＢＷ(ＢａｎｄＷｉｄｔｈ)”と、ＭＳＳ２００に提供されるサービスレベル情報を示す“Ｒｅｑｕｉｒｅｄ  ＱｏＳ”とを含む。ＭＳＳ２００が要求する帯域幅及びサービスレベルは、上記＜表４＞に説明したＭＯＢ_ＮＳＳＨＯ_ＲＥＱメッセージに記録された予想されるサービスレベル情報と同一である。
【００２４】
ＨＯ_ＰＲＥ_ＮＯＴＩＦＩＣＡＴＩＯＮメッセージのような、同一のバックボーンネットワークにおいてＢＳとの間で交換されるメッセージに共通的に含まれる“Ｇｌｏｂａｌ  Ｈｅａｄｅｒ”は、下記＜表６＞に示すような一般的な構造を有する。
【００２５】
【表６】
2007536784.tif 000008
【００２６】
＜表６＞に示すように、“Ｇｌｏｂａｌ  Ｈｅａｄｅｒ”は、複数のＩＥ、すなわち、送信されるメッセージのタイプを示す“Ｍｅｓｓａｇｅ  Ｔｙｐｅ”と、送信されるメッセージを送信する送信ＢＳを示す“Ｓｅｎｄｅｒ  ＢＳ-ＩＤ”と、送信されるメッセージを受信する受信ＢＳを示す“Ｔａｒｇｅｔ  ＢＳ-ＩＤ”と、送信されるメッセージに含まれたレコードの対象となるＭＳＳの個数を示す“Ｎｕｍ  Ｒｅｃｏｒｄｓ”とを含む。
【００２７】
第１のターゲットＢＳ２２０及び第２のターゲットＢＳ２３０は、サービングＢＳ２１０からＨＯ_ＰＲＥ_ＮＯＴＩＦＩＣＡＴＩＯＮメッセージを受信すると、上記ＨＯ_ＰＲＥ_ＮＯＴＩＦＩＣＡＴＩＯＮメッセージに対する応答メッセージであるハンドオーバー通知応答(“ＨＯ_ＰＲＥ_ＮＯＴＩＦＩＣＡＴＩＯＮ_ＲＥＳＰＯＮＳＥ”)メッセージをサービングＢＳ２１０へ送信する(ステップ２２９，２３１)。上記ＨＯ_ＰＲＥ_ＮＯＴＩＦＩＣＡＴＩＯＮ_ＲＥＳＰＯＮＳＥメッセージの構造は、下記＜表７＞に示す通りである。
【００２８】
【表７】
2007536784.tif 000009
【００２９】
＜表７＞に示すように、ＨＯ_ＰＲＥ_ＮＯＴＩＦＩＣＡＴＩＯＮ_ＲＥＳＰＯＮＳＥメッセージは、複数のＩＥ、すなわち、＜表６＞に示したように、バックボーンネットワークにおいてＢＳとの間で交換されるメッセージに共通的に含まれる“Ｇｌｏｂａｌ  Ｈｅａｄｅｒ”と、ターゲットＢＳにハンドオーバーしようとするＭＳＳの識別子(ＭＳＳ ＩＤ)と、ターゲットＢＳがＭＳＳのハンドオーバーの要求によりハンドオーバーを遂行することが可能であるか否かに対する応答(ＡＣＫ/ＮＡＣＫ）と、各ターゲットＢＳにＭＳＳがハンドオーバーした時に、ターゲットＢＳの各々が提供できる帯域幅及びサービスレベル情報とを含む。
【００３０】
一方、第１のターゲットＢＳ２２０及び第２のターゲットＢＳ２３０からＨＯ_ＰＲＥ＿ＮＯＴＩＦＩＣＡＴＩＯＮ_ＲＥＳＰＯＮＳＥメッセージを受信したサービングＢＳ２１０は、受信されたＨＯ_ＰＲＥ_ＮＯＴＩＦＩＣＡＴＩＯＮ_ＲＥＳＰＯＮＳＥメッセージを分析し、ＭＳＳ２００がハンドオーバーした時にＭＳＳ２００によって要求される帯域幅とサービスレベルを最適に提供可能なターゲットＢＳを、ＭＳＳ２００がハンドオーバーする最終ターゲットＢＳとして選択する。一例として、第１のターゲットＢＳ２２０が提供できるサービスレベルは、ＭＳＳ２００が要求したサービスレベルより低く、第２のターゲットＢＳ２３０が提供できるサービスレベルはＭＳＳ２００が要求したサービスレベルと同一であると仮定する場合に、サービングＢＳ２１０は、第２のターゲットＢＳ２３０をＭＳＳ２００がハンドオーバーする最終ターゲットＢＳとして選択する。したがって、サービングＢＳ２１０は、第２のターゲットＢＳ２３０に、ＨＯ_ＰＲＥ_ＮＯＴＩＦＩＣＡＴＩＯＮ_ＲＥＳＰＯＮＳＥメッセージに対する応答メッセージとして、ハンドオーバー通知確認(ＨＯ_ＣＯＮＦＩＲＭ)メッセージを送信する(ステップ２３３)。上記ＨＯ_ＣＯＮＦＩＲＭメッセージは、下記＜表８＞に示すような構造を有する。
【００３１】
【表８】
2007536784.tif 000010
【００３２】
＜表８＞に示すように、ＨＯ_ＣＯＮＦＩＲＭメッセージは複数のＩＥ、すなわち、上記＜表６＞に示したように、バックボーンネットワークにおいてＢＳとの間で交換されるメッセージに共通的に含まれる“Ｇｌｏｂａｌ  Ｈｅａｄｅｒ”と、選択されたターゲットＢＳにハンドオーバーしようとするＭＳＳの識別子(ＭＳＳ ＩＤ)と、上記選択されたターゲットＢＳにＭＳＳがハンドオーバーした時にターゲットＢＳから提供されることができる帯域幅及びサービスレベル情報とを含む。
【００３３】
また、サービングＢＳ２１０は、ＭＳＳ２００に、ＭＯＢ_ＭＳＳＨＯ_ＲＥＱメッセージに対する応答メッセージとして、ＢＳハンドオーバー応答(ＭＯＢ_ＢＳＨＯ_ＲＳＰメッセージを送信する(ステップ２３５)。ここで、ＭＯＢ_ＢＳＨＯ_ＲＳＰメッセージは、ＭＳＳ２００がハンドオーバーするターゲットＢＳに関する情報を含む。上記ＭＯＢ_ＢＳＨＯ_ＲＳＰメッセージは、下記＜表９＞に示すような構造を有する。
【００３４】
【表９】
2007536784.tif 000011
【００３５】
＜表９＞に示すように、ＭＯＢ_ＢＳＨＯ_ＲＳＰメッセージは、複数のＩＥ、すなわち、送信されるメッセージのタイプを示す“Ｍａｎａｇｅｍｅｎｔ  Ｍｅｓｓａｇｅ  Ｔｙｐｅ”と、ハンドオーバー手順の開始時点として予想される時間(Ｅｓｔｉｍａｔｅｄ  ＨＯ  ｔｉｍｅ)と、サービングＢＳが選択したターゲットＢＳに対する結果とを含む。また、ＭＯＢ_ＢＳＨＯ_ＲＳＰメッセージのＮ_Ｒｅｃｏｍｍｅｎｄｅｄは、ハンドオーバー可能なターゲットＢＳリスト上のターゲットＢＳのうち、ＭＳＳが要求した帯域幅及びサービスレベルを満たすターゲットＢＳの個数を示す。上記ＭＯＢ_ＢＳＨＯ_ＲＳＰメッセージは、Ｎ_Ｒｅｃｏｍｍｅｎｄｅｄで示すターゲットＢＳの各々に対する識別子と、ターゲットＢＳの各々がＭＳＳに提供すると予想されるサービスレベルとを含む。
【００３６】
図２で、ＭＯＢ_ＢＳＨＯ_ＲＳＰメッセージは、ハンドオーバー可能なターゲットＢＳリストに存在するターゲットＢＳの中で、最終的に、第２のターゲットＢＳ２３０の１個のターゲットＢＳに関する情報のみを含む。しかしながら、ハンドオーバー可能なターゲットＢＳのリストに存在するターゲットＢＳの中に、ＭＳＳ２００が要求する帯域幅及びサービスレベルを提供することが可能なターゲットＢＳが複数個である場合に、ＭＯＢ_ＢＳＨＯ_ＲＳＰメッセージは複数のターゲットＢＳに関する情報を含む。
【００３７】
さらに、ＭＯＢ_ＢＳＨＯ_ＲＳＰメッセージを受信したＭＳＳ２００は、ＭＯＢ_ＢＳＨＯ_ＲＳＰメッセージに含まれているＮ_Ｒｅｃｏｍｍｅｎｄｅｄ情報を分析し、ＭＳＳ２００がハンドオーバーするターゲットＢＳを選択する。ハンドオーバーするターゲットＢＳを選択したＭＳＳ２００は、サービングＢＳ２１０に、ＭＯＢ_ＢＳＨＯ_ＲＳＰメッセージに対する応答メッセージとして、移動加入者端末機ハンドオーバー指示(ＭＯＢ_ＨＯ_ＩＮＤ)メッセージを送信する(ステップ２３７)。上記ＭＯＢ_ＨＯ_ＩＮＤメッセージの構造は、下記＜表１０＞に示す通りである。
【００３８】
【表１０】
2007536784.tif 000012
【００３９】
＜表１０＞に示すように、ＭＯＢ_ＨＯ_ＩＮＤメッセージは、複数のＩＥ、すなわち、送信されるメッセージのタイプを示す“Ｍａｎａｇｅｍｅｎｔ  Ｍｅｓｓａｇｅ  Ｔｙｐｅ”と、ＭＳＳが選択した最終ターゲットＢＳへのハンドオーバーを決定するか、取り消すか、又は拒否するかを示す“ＨＯ_ＩＮＤ_ｔｙｐｅ”と、ハンドオーバーすることを決定した場合に、ＭＳＳが選択した最終ターゲットＢＳの識別子を示す“Ｔａｒｇｅｔ_ＢＳ_ＩＤ”と、ＭＯＢ_ＨＯ_ＩＮＤメッセージを認証するための“ＨＭＡＣ  Ｔｕｐｌｅ”とを含む。ＨＯ_ＩＮＤ_ｔｙｐｅで、ＭＳＳが最終ターゲットＢＳに対するハンドオーバーを遂行することに決定した時に、ＭＳＳは、ＨＯ_ＩＮＤ_ｔｙｐｅが００に設定されたＭＯＢ_ＨＯ_ＩＮＤメッセージを送信する。ＭＳＳが最終ターゲットＢＳに対するハンドオーバーを取消すことに決定する時に、ＭＳＳは、ＨＯ_ＩＮＤ_ｔｙｐｅが０１に設定されたＭＯＢ_ＨＯ_ＩＮＤメッセージを送信する。ＭＳＳが最終ターゲットＢＳに対するハンドオーバーを拒否することに決定する時に、ＭＳＳは、ＨＯ_ＩＮＤ_ｔｙｐｅが１０に設定されたＭＯＢ_ＨＯ_ＩＮＤメッセージを送信する。ＨＯ_ＩＮＤ_ｔｙｐｅが１０に設定されたＭＯＢ_ＨＯ_ＩＮＤメッセージを受信したサービングＢＳ２１０は、ハンドオーバー可能ターゲットＢＳリストを新たに作成した後に、ＭＳＳ２００にＭＯＢ_ＢＳＨＯ_ＲＳＰメッセージを再伝送する。
【００４０】
ＨＯ_ＩＮＤ_ｔｙｐｅが００に設定されたＭＯＢ_ＨＯ_ＩＮＤメッセージを受信したサービングＢＳ２１０は、ＭＳＳがＭＯＢ_ＨＯ_ＩＮＤメッセージに含まれているターゲットＢＳ、すなわち、第２のターゲットＢＳ２３０にハンドオーバーすることを認識する。その後、サービングＢＳ２１０は、ＭＳＳ２００が現在セットアップされている接続情報を解除し、或いはＭＳＳ２００が最終選択されたターゲットＢＳ、すなわち、第２のターゲットＢＳ２３０からハンドオーバー手順が全て終了したことを示す通報を受信するまで、予め設定した時間の間、ＭＳＳ２００に対してセットアップされている接続情報を維持する(ステップ２３９)。上記のように、サービングＢＳ２１０にＭＯＢ_ＨＯ_ＩＮＤメッセージを送信した後で、ＭＳＳ２００は、第２のターゲットＢＳ２３０と残りのハンドオーバー動作を遂行する。
【００４１】
図３は、従来のＩＥＥＥ８０２.１６ｅ通信システムにおけるＢＳの要求によるハンドオーバー過程を示すシグナリング図である。
【００４２】
図３の説明に先立って、まず、ＢＳの要求によるハンドオーバーが発生する場合は、ＢＳが過負荷(ｏｖｅｒｌｏａｄ)の状態となり、隣接ＢＳにＢＳ負荷を分散させるための負荷分散(ｌｏａｄ  ｓｈａｒｉｎｇ)が必要である場合、或いはＭＳＳのアップリンク状態の変化に対応するための場合である。図３を参照すると、サービングＢＳ３１０は、ＭＳＳ３００にＭＯＢ_ＮＢＲ-ＡＤＶメッセージを送信する(ステップ３１１)。ＭＳＳ３００は、ＭＯＢ_ＮＢＲ_ＡＤＶメッセージを受信することによって隣接ＢＳに関する情報を獲得することができる。
【００４３】
サービングＢＳ３１０は、サービングＢＳ３１０が管理しているＭＳＳ３００のハンドオーバーに対する必要性を検出すると(ステップ３１３)、隣接ＢＳにＨＯ_ＰＲＥ_ＮＯＴＩＦＩＣＡＴＩＯＮメッセージを送信する(ステップ３１５及びステップ３１７)。ここで、ＨＯ_ＰＲＥ_ＮＯＴＩＦＩＣＡＴＩＯＮメッセージは、ＭＳＳ３００の新たなサービングＢＳとなるターゲットＢＳがＭＳＳ３００に提供しなければならない帯域幅及びサービスレベルに関する情報を含む。図３では、サービングＢＳ３１０の隣接ＢＳが第１のターゲットＢＳ３２０及び第２のターゲットＢＳ３３０であると仮定する。
【００４４】
ＨＯ_ＰＲＥ_ＮＯＴＩＦＩＣＡＴＩＯＮメッセージを受信した後に、第１のターゲットＢＳ３２０及び第２のターゲットＢＳ３３０の各々は、上記ＨＯ_ＰＲＥ_ＮＯＴＩＦＩＣＡＴＩＯＮメッセージに対する応答メッセージとして、ＨＯ_ＰＲＥ_ＮＯＴＩＦＩＣＡＴＩＯＮ_ＲＥＳＰＯＮＳＥメッセージをサービングＢＳ３１０へ送信する(ステップ３１９及びステップ３２１)。ＨＯ_ＰＲＥ_ＮＯＴＩＦＩＣＡＴＩＯＮ_ＲＥＳＰＯＮＳＥメッセージは、上記＜表７＞に示したように、ターゲットＢＳがサービングＢＳ３１０によって要求されたハンドオーバーを遂行することが可能であるかを示す応答(ＡＣＫ/ＮＡＣＫ）と、ＭＳＳ３００に提供可能な帯域幅及びサービスレベル情報とを含む。
【００４５】
サービングＢＳ３１０は、第１のターゲットＢＳ３２０と第２のターゲットＢＳ３３０からＨＯ_ＰＲＥ_ＮＯＴＩＦＩＣＡＴＩＯＮ_ＲＥＳＰＯＮＳＥメッセージを受信すると、ＭＳＳ３００が要求する帯域幅とサービスレベルを提供することが可能なターゲットＢＳを選択する。一例として、第１のターゲットＢＳ３２０によって提供可能なサービスレベルはＭＳＳ３００が要求するサービスレベルより低く、第２のターゲットＢＳ３３０によって提供可能なサービスレベルはＭＳＳ３００が要求するサービスレベルと同一であると仮定すると、サービングＢＳ３１０は、第２のターゲットＢＳ３３０をＭＳＳ３００がハンドオーバー可能な最終ターゲットＢＳとして選択する。ハンドオーバー可能なターゲットＢＳとして第２のターゲットＢＳ３３０を選択したサービングＢＳ３１０は、ハンドオーバー可能なターゲットＢＳリストを含むＢＳハンドオーバー要求(Ｍｏｂｉｌｅ  ＢＳ  ＨａｎｄＯｖｅｒ  Ｒｅｑｕｅｓｔ：以下、“ＭＯＢ_ＢＳＨＯ_ＲＥＱ”とする)メッセージをＭＳＳ３００へ送信する(ステップ３２３)。このとき、ハンドオーバー可能なターゲットＢＳリストには、複数のターゲットＢＳを含むことが可能である。上記ＭＯＢ_ＢＳＨＯ_ＲＥＱメッセージの構造は、下記＜表１１＞に示す通りである。
【００４６】
【表１１】
2007536784.tif 000013
【００４７】
＜表１１＞に示すように、ＭＯＢ_ＢＳＨＯ_ＲＥＱメッセージは、複数のＩＥ、すなわち、送信されるメッセージタイプを示す“Ｍａｎａｇｅｍｅｎｔ  Ｍｅｓｓａｇｅ  Ｔｙｐｅ”と、サービングＢＳ３１０によって選択されたターゲットＢＳに関する情報を含む。＜表１１＞において、“Ｎ_Ｒｅｃｏｍｍｅｎｄｅｄ”は、サービングＢＳ３１０がハンドオーバー可能なターゲットＢＳとして選択された隣接ＢＳの個数を示す。また、ＭＯＢ_ＢＳＨＯ_ＲＥＱメッセージは、Ｎ_Ｒｅｃｏｍｍｅｎｄｅｄで示す隣接ＢＳの各々に対する識別子(ＩＤ)と、隣接ＢＳがＭＳＳに提供することが可能な帯域幅及びサービスレベルに関する情報とを含む。
【００４８】
上記ＭＯＢ_ＢＳＨＯ_ＲＥＱメッセージを受信したＭＳＳ３００は、サービングＢＳ３１０によってハンドオーバーが要求されたことを認知し、ＭＯＢ_ＢＳＨＯ_ＲＥＱメッセージに含まれているＮ_Ｒｅｃｏｍｍｅｎｄｅｄ情報を参照して、ハンドオーバーを遂行する最終ターゲットＢＳを選択する。最終ターゲットＢＳを選択する前に、もしＭＳＳ３００がサービングＢＳ３１０及び隣接ＢＳから送信されるパイロットチャンネル信号のＣＩＮＲをスキャニングしようとする場合、ＭＳＳ３００は、サービングＢＳ３１０にＭＯＢ_ＳＣＮ_ＲＥＱメッセージを送信する(ステップ３２５)。ここで、ＭＳＳ３００がスキャン要求をする時点は、パイロットチャンネル信号のＣＩＮＲスキャニング動作と直接的な関連がないため、その具体的な説明は省略する。ＭＯＢ_ＳＣＮ_ＲＥＱメッセージを受信したサービングＢＳ３１０は、ＭＳＳ３００がスキャニングする情報を含むＭＯＢ_ＳＣＮ_ＲＳＰメッセージをＭＳＳ３００へ送信する(ステップ３２７)。スキャニング情報を含むＭＯＢ_ＳＣＮ_ＲＳＰメッセージを受信したＭＳＳ３００は、ＭＯＢ_ＮＢＲ_ＡＤＶメッセージの受信を通じて認識された隣接ＢＳと、ＭＯＢ_ＢＳＨＯ_ＲＥＱメッセージの受信を通じて認識されたハンドオーバー可能なターゲットＢＳと、サービングＢＳ３１０に対して、ＭＯＢ_ＳＣＮ_ＲＳＰメッセージに含まれたパラメーター、すなわち、スキャン区間により、パイロットチャンネル信号のＣＩＮＲスキャニングを遂行する(ステップ３２９)。
【００４９】
ＭＳＳ３００は、ハンドオーバーする最終ターゲットＢＳを選択した後に、ＭＯＢ_ＢＳＨＯ_ＲＥＱメッセージに対する応答メッセージであるＭＳＳハンドオーバー応答(ＭＯＢ_ＭＳＳＨＯ_ＲＳＰ)メッセージをサービングＢＳ３１０へ送信する(ステップ３３１)。上記ＭＯＢ_ＭＳＳＨＯ_ＲＳＰメッセージの構造は、下記＜表１２＞に示す通りである。
【００５０】
【表１２】
2007536784.tif 000014
【００５１】
＜表１２＞に示すように、ＭＯＢ_ＭＳＳＨＯ_ＲＳＰメッセージは、複数のＩＥ、すなわち、送信されるメッセージタイプを示す“Ｍａｎａｇｅｍｅｎｔ  Ｍｅｓｓａｇｅ  Ｔｙｐｅ”と、ハンドオーバー手順を始めると予想される時間“Ｅｓｔｉｍａｔｅｄ  ＨＯ  Ｔｉｍｅ”と、ＭＳＳが選択したターゲットＢＳに関する情報とを含む。＜表１２＞において、“Ｎ_Ｒｅｃｏｍｍｅｎｄｅｄ”は、ＭＳＳがハンドオーバー可能なターゲットＢＳとして選択した隣接ＢＳの個数を示す。さらに、ＭＯＢ_ＭＳＳＨＯ_ＲＳＰメッセージは、Ｎ_Ｒｅｃｏｍｍｅｎｄｅｄで示す隣接ＢＳの各々に対する識別子と、隣接ＢＳからＭＳＳに対して提供可能なサービスレベルに関する情報とを含む。
【００５２】
サービングＢＳ３１０は、ＭＳＳ３００によって最終ターゲットＢＳとして選択された隣接ＢＳへ、ＨＯ_ＰＲＥ_ＮＯＴＩＦＩＣＡＴＩＯＮ_ＲＥＳＰＯＮＳＥメッセージに対する応答メッセージとして、ＨＯ_ＣＯＮＦＩＲＭメッセージを送信する(ステップ３３３)。最終ターゲットＢＳを選択したＭＳＳ３００は、サービングＢＳ３１０にＨＯ_ＩＮＤ_ｔｙｐｅが００に設定されたＭＯＢ_ＨＯ_ＩＮＤメッセージを送信する(ステップ３３５)。ＨＯ_ＩＮＤ_ｔｙｐｅが００に設定されたＭＯＢ_ＨＯ_ＩＮＤメッセージを受信すると、サービングＢＳ３１０は、ＭＳＳ３００がＭＯＢ_ＨＯ_ＩＮＤメッセージに含まれている最終ターゲットＢＳにハンドオーバーすることを再認識する。その後、サービングＢＳ３１０は、ＭＳＳ３００に対して現在設定されている接続情報を解除し、或いは最終選択したターゲットＢＳ、すなわち、第２のターゲットＢＳ３３０からハンドオーバー手順が完了したという通報を受信するまで、予め設定した設定時間の間、ＭＳＳ３００との接続情報を維持する(ステップ３３７)。上記のように、サービングＢＳ３１０にＭＯＢ_ＨＯ_ＩＮＤメッセージを送信した後に、ＭＳＳ３００は第２のターゲットＢＳ３３０と残りのハンドオーバー動作を遂行する。
【００５３】
図４は、従来のＩＥＥＥ８０２.１６ｅ通信システムにおけるＭＳＳのハンドオーバーによるネットワーク再進入過程を示す信号フローチャートである。
【００５４】
図４を参照すると、ＭＳＳ４００は、最終ターゲットＢＳ４５０に接続切り替えを遂行し、最終ターゲットＢＳ４５０とダウンリンク同期を獲得する。その後、ＭＳＳ４００は、最終ターゲットＢＳ４５０へ送信するＤＬ(ＤｏｗｎＬｉｎｋ)_ＭＡＰメッセージを受信する(ステップ４１１)。ＤＬ_ＭＡＰメッセージは、最終ターゲットＢＳ４５０のダウンリンクに関連したパラメーターを含むメッセージである。また、ＭＳＳ４００は、最終ターゲットＢＳ４５０から送信されるＵＬ(ＵｐＬｉｎｋ)_ＭＡＰメッセージを受信する(ステップ４１３)。ＵＬ_ＭＡＰメッセージは、最終ターゲットＢＳ４５０のアップリンクに関連したパラメーターを含むメッセージである。また、上記ＵＬ_ＭＡＰメッセージは、最終ターゲットＢＳ４５０がハンドオーバーを遂行するＭＳＳ４００の高速アップリンクレンジング(Ｆａｓｔ_ＵＬ_Ｒａｎｇｉｎｇ）を支援するために割り当てられた高速アップリンクレンジング情報エレメント(Ｆａｓｔ_ＵＬ_Ｒａｎｇｉｎｇ_ＩＥ)を含む。最終ターゲットＢＳ４５０がＭＳＳ４００にＦａｓｔ_ＵＬ_Ｒａｎｇｉｎｇ_ＩＥを割り当てる理由は、ＭＳＳ４００がハンドオーバーを遂行する時に発生する可能性のある遅延を最小化するためである。したがって、ＭＳＳ４００は、Ｆａｓｔ_ＵＬ_Ｒａｎｇｉｎｇ_ＩＥにより、コンテンションフリー(ｃｏｎｔｅｎｔｉｏｎ-ｆｒｅｅ)方式で最終ターゲットＢＳ４５０と初期レンジング(ｉｎｉｔｉａｌ  ｒａｎｇｉｎｇ)が遂行可能になる。ここで、ＵＬ_ＭＡＰメッセージに含まれるＦａｓｔ_ＵＬ_Ｒａｎｇｉｎｇ_ＩＥは、下記＜表１３＞に示す通りである。
【００５５】
【表１３】
2007536784.tif 000015
【００５６】
＜表１３＞において、Ｆａｓｔ_ＵＬ_Ｒａｎｇｉｎｇ_ＩＥは、レンジング機会を獲得するＭＳＳの媒体接続制御(Ｍｅｄｉｕｍ  Ａｃｃｅｓｓ  Ｃｏｎｔｒｏｌ：以下、“ＭＡＣ”とする)アドレスと、Ｆａｓｔ_ＵＬ_Ｒａｎｇｉｎｇに対する開始オフセット値を含む領域情報を提供するＵＩＵＣ(Ｕｐｌｉｎｋ  Ｉｎｔｅｒｖａｌ  Ｕｓａｇｅ  Ｃｏｄｅ)と、ＭＳＳ４００に割り当てられたコンテンションフリー方式のレンジング機会区間のオフセット/シンボルの個数/サブチャンネルの個数などに関する情報を含む。ＭＳＳ４００のＭＡＣアドレスは、図２及び図３に示したハンドオーバー過程で、バックボーンネットワークにおいてサービングＢＳと最終ターゲットＢＳとの間で交換されるＨＯ_ＰＲＥ_ＮＯＴＩＦＩＣＡＴＩＯＮメッセージ、ＨＯ_ＰＲＥ_ＮＯＴＩＦＩＣＡＴＩＯＮ_ＲＥＳＰＯＮＳＥメッセージ、及びＨＯ_ＣＯＮＦＩＲＭメッセージのようなメッセージを通じて最終ターゲットＢＳ４５０に通報される。
【００５７】
ＵＬ_ＭＡＰメッセージを受信したＭＳＳ４００は、Ｆａｓｔ_ＵＬ_Ｒａｎｇｉｎｇ_ＩＥにより、最終ターゲットＢＳ４５０にレンジング要求(ＲＮＧ_ＲＥＱ)メッセージを送信する(ステップ４１５)。ＲＮＧ_ＲＥＱメッセージを受信した最終ターゲットＢＳ４５０は、ＭＳＳ４００にレンジングのための周波数、時間及び送信電力を補正するための情報を含むレンジング応答(ＲＮＧ_ＲＳＰ)メッセージを送信する(ステップ４１７)。
【００５８】
初期レンジングを完了したＭＳＳ４００と最終ターゲットＢＳ４５０は、ＭＳＳ４００に対する再認証動作(ＭＳＳ  ＲＥ_ＡＵＴＨＯＲＩＺＡＴＩＯＮ)を遂行する(ステップ４１９)。再認証動作の遂行の際に、ＭＳＳ４００が以前に属しているサービングＢＳと最終ターゲットＢＳ４５０との間で交換されたセキュリティコンテキスト(ｓｅｃｕｒｉｔｙ  ｃｏｎｔｅｘｔ)が変更されない場合に、最終ターゲットＢＳ４５０は、セキュリティコンテキストをそのまま使用する。ここで、ＭＳＳ４００のセキュリティコンテキスト情報を提供するバックボーンネットワークメッセージであるＭＳＳ情報応答(ＭＳＳ_ＩＮＦＯ_ＲＳＰ)メッセージは、下記＜表１４＞に示すような構造を有する。
【００５９】
【表１４】
2007536784.tif 000016
【００６０】
＜表１４＞において、ＭＳＳ_ＩＮＦＯ_ＲＳＰメッセージは、サービングＢＳに登録されているＭＳＳのＩＤ情報と、各ＭＳＳに関するセキュリティ関連情報(Ｓｅｃｕｒｉｔｙ  Ａｓｓｏｃｉａｔｉｏｎ  Ｉｎｆｏｒｍａｔｉｏｎ)のようなセキュリティコンテキスト情報と、各ＭＳＳに対するネットワークサービス情報と、各ＭＳＳの機能(ｃａｐａｂｉｌｉｔｙ)情報とを含む。
【００６１】
最終ターゲットＢＳ４５０とＭＳＳ４００に対する再認証動作が完了すると、ＭＳＳ４００は、最終ターゲットＢＳ４５０に登録要求(ＲＥＧ_ＲＥＱ)メッセージを送信する(ステップ４２１)。ＲＥＧ_ＲＥＱメッセージは、ＭＳＳ４００の登録情報を含む。最終ターゲットＢＳ４５０は、ＭＳＳ４００にＲＥＧ_ＲＥＱメッセージに対する応答メッセージである登録応答(ＲＥＧ_ＲＳＰ)メッセージを送信する(ステップ４２３)。最終ターゲットＢＳ４５０は、ＭＳＳ４００から受信したＲＥＧ_ＲＥＱメッセージに含まれているＭＳＳ４００の登録情報を検出し、ＭＳＳ４００がハンドオーバーを遂行したＭＳＳであることを認識する。したがって、最終ターゲットＢＳ４５０は、ＭＳＳ４００の以前サービングＢＳの接続設定情報と最終ターゲットＢＳ４５０の接続設定情報とをマッピングさせる。最終ターゲットＢＳ４５０は、実際に受信可能なサービスフローを再設定するために使用されるＴＬＶ(Ｔｙｐｅ  Ｌｅｎｇｔｈ  Ｖａｒｉａｂｌｅ)値を含め、ＭＳＳ_ＩＮＦＯ_ＲＳＰメッセージをＭＳＳ４００へ送信する。サービングＢＳと最終ターゲットＢＳ４５０で、接続設定に関するマッピング情報を含むＴＬＶの構造は、下記＜表１５＞に示す通りである。
【００６２】
【表１５】
2007536784.tif 000017
【００６３】
＜表１５＞において、ＲＥＧ_ＲＳＰメッセージに含まれるＴＬＶは、ＭＳＳ４００がハンドオーバーを遂行する前にサービングＢＳで使用した接続識別子(ＣＩＤ)と、ハンドオーバーを遂行した後に最終ターゲットＢＳ４５０で使用するＣＩＤ情報を提供する。また、ＴＬＶは、ハンドオーバー以前にサービングＢＳが提供したサービスフローと異なるサービスを最終ターゲットＢＳ４５０が提供する場合に、変更されたサービスパラメーターに関する情報を含む。
【００６４】
ＭＳＳ４００は、最終ターゲットＢＳ４５０とのネットワーク再進入手順を完了し、最終ターゲットＢＳ４５０を通じて正常な通信サービスを遂行する(ステップ４２５)。
【発明の開示】
【発明が解決しようとする課題】
【００６５】
上述したように、ＩＥＥＥ８０２.１６ｅ通信システムにおいて、ＭＳＳの要求によるハンドオーバー過程は、まず、ＭＳＳがスキャニング過程を通してダウンリンクチャンネルの変化を測定することによって、ハンドオーバーの必要性を決定し、サービングＢＳへハンドオーバー要求メッセージを送信する。これに従って、上記サービングＢＳは、上記ＭＳＳが推薦した隣接ＢＳに関するサービスレベル予測情報を受信して、さらにＭＳＳへ送信する。すると、ＭＳＳは、隣接ＢＳからのダウンリンクチャンネルのＣＩＮＲ及び隣接ＢＳのサービスレベル情報に基づいて、最終ターゲットＢＳを選択することができる。このとき、ＣＩＮＲ測定は、上記ＭＳＳがハンドオーバーを決定する前に遂行され、バックボーンネットワークで支援可能なサービスレベルを予測するためのメッセージ交換は、ＭＳＳがハンドオーバーを決定した後に遂行される。
【００６６】
一方、ＢＳの要求によるハンドオーバー過程において、サービングＢＳは、ハンドオーバーの必要を決定した後に、隣接ＢＳのすべてに対してサービスレベル予測のためのメッセージの交換を遂行しなければならない。これに従って、推薦ＢＳリストを含んでいるＭＯＢ_ＢＳＨＯ_ＲＥＱメッセージを受信したＭＳＳは、推薦ＢＳの中で最終ターゲットＢＳを選択するためにスキャニング動作を遂行しなければならない。従って、ＭＳＳ要求によるハンドオーバー過程に比べて、ＢＳの要求によるハンドオーバー過程は、ハンドオーバーが決定された後に、上記サービスレベル予測及びスキャニング動作をすべて遂行する。
【００６７】
また、上記ＭＳＳの要求によるハンドオーバー過程において、上記ＭＳＳがＣＩＮＲ値を通じて推薦するＢＳの数が、ＢＳの要求によるハンドオーバー過程で、サービスレベル予測を通して推薦されたＢＳの数より少ないものと予想されることができる。これは、上記ＭＳＳが、隣接ＢＳの各々に対してＣＩＮＲスキャニングを遂行する時間が短いためである。従って、ＭＳＳの要求によるハンドオーバー過程に比べて、ＢＳの要求によるハンドオーバー過程を遂行するのにさらに多くの時間を必要とする。
【００６８】
一方、上記ＢＳがＭＳＳへハンドオーバー要求を送信するのには、幾つかの理由があり、これは、特に、上記ＢＳが、時間的に上記ＭＳＳのハンドオーバーが緊急であると判断して発生することがある。従って、上述したように、ＭＳＳの要求によるハンドオーバー過程に比べて、長い時間が必要とされるＢＳの要求によるハンドオーバー過程を改善して、さらに速い時間内にハンドオーバーを遂行することができる方法を提供する必要がある。
【００６９】
したがって、上記した従来技術による問題点を解決するために、本発明の目的は、広帯域無線接続（ＢＷＡ）通信システムにおいて、移動加入者端末機（ＭＳＳ）が、基地局（ＢＳ）の要求に応じて、高速のハンドオーバーを遂行するシステム及び方法を提供することにある。
【課題を解決するための手段】
【００７０】
上記した目的を達成するために、本発明の第１の見地によると、移動加入者端末機と、サービング基地局と、上記サービング基地局とは相異なる複数の隣接基地局とを含む広帯域無線接続通信システムにおいて、上記サービング基地局が遂行する上記移動加入者端末機のハンドオーバー方法は、上記移動加入者端末機がハンドオーバーしなければならないことを検出するステップと、上記移動加入者端末機が現在受信しているサービスを、上記複数の隣接基地局の各々が提供することができるか否かを検査するステップと、上記検査の結果に従って、上記移動加入者端末機が現在受信しているサービスを提供することができる少なくとも１つの推薦基地局を決定するステップと、上記少なくとも１つの推薦基地局に関する情報を含むハンドオーバー要求を上記ＭＳＳへ送信するステップと、上記少なくとも１つの推薦基地局の各々へ、上記移動加入者端末機がハンドオーバーすることを通知するステップと、上記少なくとも１つの推薦基地局の各々が上記移動加入者端末機のハンドオーバーのための高速のレンジングリソースを割り当てるように制御するステップとを具備することを特徴とする。
【００７１】
本発明の第２の見地によると、移動加入者端末機と、サービング基地局と、上記サービング基地局とは相異なる複数の隣接基地局とを含む広帯域無線接続通信システムにおいて、上記移動加入者端末機がハンドオーバーを遂行する方法は、上記サービング基地局から、上記移動加入者端末機がハンドオーバーすることができる推薦基地局に関する情報を含むハンドオーバー要求を受信するステップと、上記推薦基地局のうち、上記移動加入者端末機がハンドオーバーの遂行を希望するターゲット基地局を決定するステップと、上記ターゲット基地局が上記移動加入者端末機の高速のハンドオーバーのために提供する高速のレンジングリソースを使用して、上記ターゲット基地局と高速のハンドオーバーを遂行するステップとを具備することを特徴とする。
【００７２】
本発明の第３の見地によると、移動加入者端末機と、サービング基地局と、上記サービング基地局とは相異なる複数の隣接基地局とを含む広帯域無線接続通信システムにおいて、ハンドオーバーを遂行する方法は、上記サービング基地局は、上記移動加入者端末機がハンドオーバーしなければならないことを検出すると、上記移動加入者端末機が現在受信しているサービスを、上記複数の隣接基地局の各々が提供することができるか否かを検査するステップと、上記サービング基地局は、上記検査の結果に従って、上記移動加入者端末機が現在受信しているサービスを提供することができる少なくとも１つの推薦基地局を決定し、上記移動加入者端末機へ、上記推薦基地局に関する情報を含むハンドオーバー要求を送信するステップと、上記サービング基地局は、上記推薦基地局の各々へ、上記移動加入者端末機がハンドオーバーすることを示す通知を送信し、上記移動加入者端末機の高速のハンドオーバーのための高速のレンジングリソースを割り当てるように、上記推薦基地局の各々を制御するステップと、上記移動加入者端末機は、上記サービング基地局から、上記移動加入者端末機がハンドオーバーすることができる上記少なくとも１つの推薦基地局に関する情報を含むハンドオーバー要求を受信するステップと、上記移動加入者端末機は、上記推薦基地局のうち、ハンドオーバーの遂行を希望するターゲット基地局を決定し、上記ターゲット基地局が上記ハンドオーバーのために提供する高速のレンジングリソースを使用して、上記ターゲット基地局と高速のハンドオーバーを遂行するステップとを具備することを特徴とする。
【００７３】
本発明の第４の見地によると、移動加入者端末機と、サービング基地局と、上記サービング基地局と相異なる複数の隣接基地局とを含む広帯域無線接続通信システムにおけるハンドオーバーシステムは、上記移動加入者端末機がハンドオーバーしなければならないことを検出すると、上記移動加入者端末機が現在受信しているサービスを、上記複数の隣接基地局の各々が提供することができるか否かを検査し、上記検査の結果に従って、上記移動加入者端末機が現在受信しているサービスを提供することができる少なくとも１つの推薦基地局を決定し、上記少なくとも１つの推薦基地局に関する情報を含むハンドオーバー要求を上記ＭＳＳへ送信し、上記少なくとも１つの推薦基地局の各々へ、上記移動加入者端末機がハンドオーバーすることを通知し、上記少なくとも１つの推薦基地局の各々が上記移動加入者端末機のハンドオーバーのための高速のレンジングリソースを割り当てるように制御するサービング基地局と、上記サービング基地局から、上記移動加入者端末機がハンドオーバーすることができる推薦基地局に関する情報を含むハンドオーバー要求を受信し、上記推薦基地局のうち、上記移動加入者端末機がハンドオーバーの遂行を希望するターゲット基地局を決定し、上記ターゲット基地局が上記移動加入者端末機の高速のハンドオーバーのために提供する高速のレンジングリソースを使用して、上記ターゲット基地局と高速のハンドオーバーを遂行する移動加入者端末機とを具備することを特徴とする。
【００７４】
本発明の第５の見地によると、移動加入者端末機と、サービング基地局と、上記サービング基地局とは相異なる複数の隣接基地局とを含む広帯域無線接続通信システムにおいて、上記サービング基地局が遂行する上記移動加入者端末機のハンドオーバー方法は、上記移動加入者端末機へ、上記隣接基地局のうち、上記移動加入者端末機がハンドオーバーを遂行することができる少なくとも１つの推薦基地局に関する情報と、上記サービング基地局がネットワークで支援されるハンドオーバーを支援することを示す指示子情報とを含むハンドオーバー要求メッセージを送信するステップと、上記少なくとも１つの推薦基地局の各々へ、上記移動加入者端末機がネットワークで支援されるハンドオーバーを遂行することを示すハンドオーバー確認メッセージを送信するステップとを具備することを特徴とする。
【００７５】
本発明の第６の見地によると、移動加入者端末機と、サービング基地局と、上記サービング基地局とは相異なる複数の隣接基地局とを含む広帯域無線接続通信システムにおいて、上記移動加入者端末機がハンドオーバーを遂行する方法は、上記サービング基地局から、上記隣接基地局のうち、上記移動加入者端末機がハンドオーバーを遂行することができる少なくとも１つの推薦基地局に関する情報と、上記サービング基地局がネットワークで支援されるハンドオーバーを支援することを示す指示子情報とを含むハンドオーバー要求メッセージを受信するステップと、上記サービング基地局へ、上記移動加入者端末機がハンドオーバーの遂行を希望するターゲット基地局に関する情報を含まないハンドオーバー指示メッセージを送信するステップと、を具備することを特徴とする。
【００７６】
本発明の第７の見地によると、移動加入者端末機と、サービング基地局と、上記サービング基地局とは相異なる複数の隣接基地局とを含む広帯域無線接続通信システムにおいて、ハンドオーバーを遂行する方法は、上記サービング基地局が、上記移動加入者端末機へ、上記隣接基地局のうち、上記移動加入者端末機が高速のハンドオーバーを遂行することができる少なくとも１つの推薦基地局に関する情報と、上記推薦基地局のうち、上記移動加入者端末機がハンドオーバーすることに決定したターゲット基地局に対する上記高速のハンドオーバーを命令するための指示子情報とを含むハンドオーバー要求メッセージを送信するステップと、上記移動加入者端末機が、ハンドオーバーすることに決定したターゲット基地局に関する情報を上記サービング基地局へ送信するステップと、上記ターゲット基地局に対する上記高速のハンドオーバーを遂行するステップとを具備することを特徴とする。
【発明の効果】
【００７７】
本発明によるＯＦＤＭ／ＯＦＤＭＡ方式を使用するＢＷＡ通信システムは、サービングＢＳのハンドオーバー要求によってＭＳＳに高速のハンドオーバーを支援することによって、既存のハンドオーバー過程の一部を省略し、これによって、ハンドオーバー処理時間を短縮させることができる、という利点を有する。さらに詳細には、ＭＳＳがサービングＢＳへハンドオーバー応答メッセージを送信する過程、及び上記ハンドオーバー応答メッセージを送信するために、上記ＣＩＮＲスキャニングを実施した後に、サービングＢＳとの同期を獲得し、レンジングを遂行する過程をなくすことができるので、上記過程に必要とされる時間を短縮させ、その結果、全体的にＢＳの要求によるハンドオーバー過程に必要とされる時間を短縮させることができる、という長所を有する。
【発明を実施するための最良の形態】
【００７８】
以下、本発明の望ましい実施形態を添付の図面を参照して詳細に説明する。
【００７９】
下記において、本発明に関連した公知の機能又は構成に関する具体的な説明が本発明の要旨を不明にすると判断された場合に、その詳細な説明を省略する。
【００８０】
本発明は、広帯域無線接続(Ｂｒｏａｄｂａｎｄ  Ｗｉｒｅｌｅｓｓ  Ａｃｃｅｓｓ：ＢＷＡ)通信システムであるＩＥＥＥ８０２.１６ｅ通信システムにおいて、ＢＳのハンドオーバー(ｈａｎｄｏｖｅｒ)要求に従うＭＳＳ(Ｍｏｂｉｌｅ  Ｓｕｂｓｃｒｉｂｅｒ  Ｓｔａｔｉｏｎ：以下、“ＭＳＳ”とする)の高速のハンドオーバー方案を提案する。ここで、ＩＥＥＥ８０２.１６ｅ通信システムは、直交周波数分割多重(ＯＦＤＭ)方式及び直交周波数分割多元接続(ＯＦＤＭＡ)方式を使用する広帯域無線接続通信システムである。ＩＥＥＥ８０２.１６ｅ通信システムは、ＯＦＤＭ／ＯＦＤＭＡ方式を使用するために、複数の副搬送波を用いて物理チャンネル信号を送信し、それによって、高速のデータ送信が可能であり、多重セル構造を支援してＭＳＳの移動性を支援する通信システムである。
【００８１】
図５は、本発明の実施形態によるＩＥＥＥ８０２.１６ｅ通信システムにおいて、ＢＳの要求に従うＭＳＳの高速のハンドオーバーを支援するためのＭＳＳとＢＳとの間のシグナリング手順を示すシグナリング図である。
【００８２】
図５を参照すると、まず、サービングＢＳ５４０は、自身が管理しているＭＳＳ５００をハンドオーバーさせる必要があると検出すると(ステップ５１１)、ＢＳの要求によるハンドオーバー過程を開始する。従って、サービングＢＳ５４０は、ＭＳＳ５００がハンドオーバーする可能性がある隣接ＢＳへ、ハンドオーバー通知(ＨＯ_ＰＲＥ_ＮＯＴＩＦＩＣＡＴＩＯＮ)メッセージを送信する(ステップ５１３、ステップ５１５、及びステップ５１７)。図５では、サービングＢＳ５４０の隣接ＢＳが、３つのＢＳ、すなわち、第１のターゲットＢＳ５６０、第２のターゲットＢＳ５８０、及び第３のターゲットＢＳ５９０を含むと仮定する。
【００８３】
上記ターゲットＢＳの各々は、上記ＨＯ_ＰＲＥ_ＮＯＴＩＦＩＣＡＴＩＯＮメッセージを受信すると、ハンドオーバー通知応答(ＨＯ_ＰＲＥ_ＮＯＴＩＦＩＣＡＴＩＯＮ_ＲＥＳＰＯＮＳＥ)メッセージをサービングＢＳ５４０へ送信する(ステップ５１９、ステップ５２１、及びステップ５２３)。その後、サービングＢＳ５４０は、ＭＳＳ５００が要求する帯域幅及びサービスレベルを提供することができるターゲットＢＳ又は複数のターゲットＢＳを選択する。例えば、第１のターゲットＢＳ５６０及び第２のターゲットＢＳ５８０が提供することができるサービスレベルは、ＭＳＳ５００が要求したサービスレベルより高いか、または同一であり、上記第３のターゲットＢＳ５９０が提供することができるサービスレベルが、ＭＳＳ５００が要求したサービスレベルより低いと仮定すると、サービングＢＳ５４０は、第１のターゲットＢＳ５６０及び第２のターゲットＢＳ５８０をハンドオーバーが可能な候補ターゲットＢＳとして選択する。
【００８４】
サービングＢＳ５４０は、上記候補ターゲットＢＳを使用して推薦リスト(ｒｅｃｏｍｍｅｎｄｅｄ ｌｉｓｔ)を作り、上記推薦リストを含むＢＳハンドオーバー要求(ＭＯＢ_ＢＳＨＯ_ＲＥＱ)メッセージをＭＳＳ５００へ送信する(ステップ５２７)。＜表１６＞は、本実施形態で使用される上記ＭＯＢ_ＢＳＨＯ_ＲＥＱメッセージのフォーマットを示す。
【００８５】
【表１６】
2007536784.tif 000018
【００８６】
＜表１６＞に示すように、＜表１１＞の従来のＭＯＢ_ＢＳＨＯ_ＲＥＱメッセージに比べて、本発明で再定義されたＭＯＢ_ＢＳＨＯ_ＲＥＱメッセージは、１ビットのハンドオーバーオプション(ＨＯ_ｏｐｔｉｏｎ)フィールドと、７ビット予約(ｒｅｓｅｒｖｅｄ)フィールドとをさらに含む。上記ＭＯＢ_ＢＳＨＯ_ＲＥＱメッセージのＨＯ_ｏｐｔｉｏｎ値が‘０’に設定される場合に（ＨＯ_ｏｐｔｉｏｎ＝０）、ＭＳＳ５００は、既存のＭＯＢ_ＢＳＨＯ_ＲＥＱメッセージを受信した時と同一の動作、すなわち、図３に示した手順を遂行する。しかしながら、上記ＨＯ_ｏｐｔｉｏｎ値が‘１’に設定される場合に（ＨＯ_ｏｐｔｉｏｎ＝１）、ＭＳＳ５００は、本発明に従うネットワークで支援される(Ｎｅｔｗｏｒｋ Ａｓｓｉｓｔｅｄ)高速のハンドオーバー過程を遂行する。
【００８７】
一方、サービングＢＳ５４０は、上記推薦リストに含まれているターゲットＢＳへ、＜表８＞のハンドオーバー確認(ＨＯ_ＣＯＮＦＩＲＭ)メッセージを送信する(ステップ５２５及びステップ５２９)。上記ＨＯ_ＣＯＮＦＩＲＭメッセージを受信すると、第１のターゲットＢＳ５６０及び第２のターゲット５８０の各々は、ＭＳＳ５００のために、高速アップリンクレンジング情報エレメント(Ｆａｓｔ_ＵＬ_Ｒａｎｇｉｎｇ_ＩＥ)を予約し、上記Ｆａｓｔ_ＵＬ_Ｒａｎｇｉｎｇ_ＩＥを含むＵＬ_ＭＡＰメッセージをＭＳＳ５００へ送信する(ステップ５３５及びステップ５３７)。
【００８８】
また、サービングＢＳ５４０は、上記ＨＯ_ＣＯＮＦＩＲＭメッセージ以外に、上記サービングＢＳがすでに貯蔵しているＭＳＳ５００の動作に必要とされる情報を、バックボーン(ｂａｃｋｂｏｎｅ)メッセージを用いて、第１のターゲットＢＳ５６０及び第２のターゲット５８０へ送信することができる。ここで、上記ＭＳＳ５００の動作に必要とされる情報とは、上記ＭＳＳ５００のサービス情報及び動作コンテキスト情報(ｏｐｅｒａｔｉｏｎａｌ  ｃｏｎｔｅｘｔ  ｉｎｆｏｒｍａｔｉｏｎ)のようなハンドオーバー過程最適化(ｈａｎｄｏｖｅｒ  ｐｒｏｃｅｓｓ ｏｐｔｉｍｉｚａｔｉｏｎ)情報を意味する。上記の処理後、ＭＳＳ５００は、上記推薦リストに含まれているＢＳへハンドオーバーする場合、ＵＬ_ＭＡＰメッセージから認知された高速レンジング区間を通じて、該当ＢＳとレンジングを遂行することができる。ＭＳＳ５００がハンドオーバーしようとするターゲットＢＳが、ＭＳＳ５００に関する情報をすでに獲得した状態であると、ＭＳＳ５００は、ハンドオーバーによるネットワーク再進入過程をさらに迅速に遂行することができる。
【００８９】
図５では、ＭＳＳ５００が隣接ＢＳからのパイロットチャンネル信号のキャリア対干渉雑音比(Ｃａｒｒｉｅｒ  ｔｏ  Ｉｎｔｅｒｆｅｒｅｎｃｅ  ａｎｄ  Ｎｏｉｓｅ  Ｒａｔｉｏ：以下、“ＣＩＮＲ”と称する)スキャニングを遂行した後に、第１のターゲットＢＳ５６０及び第２のターゲットＢＳ５８０の各々がＦａｓｔ_ＵＬ_Ｒａｎｇｉｎｇ＿ＩＥを送信することを示すとしても(ステップ５３３)、第１のターゲットＢＳ５６０及び第２のターゲットＢＳ５８０の各々は、上記ＨＯ_ＣＯＮＦＩＲＭメッセージを受信した直後に、Ｆａｓｔ_ＵＬ_Ｒａｎｇｉｎｇ＿ＩＥを任意に送信することができる。すなわち、第１のターゲットＢＳ５６０は、サービングＢＳ５４０からＨＯ_ＣＯＮＦＩＲＭメッセージを受信した後に(ステップ５２５)、上記Ｆａｓｔ_ＵＬ_Ｒａｎｇｉｎｇ＿ＩＥをＭＳＳ５００へ送信することができる。また、第２のターゲットＢＳ５８０は、サービングＢＳ５４０からＨＯ_ＣＯＮＦＩＲＭメッセージを受信した後に(ステップ５２９)、Ｆａｓｔ_ＵＬ_Ｒａｎｇｉｎｇ＿ＩＥをＭＳＳ５００へ送信することができる。
【００９０】
上記ＨＯ_ｏｐｔｉｏｎ値が‘１’に設定されたＭＯＢ_ＢＳＨＯ_ＲＥＱメッセージを受信したＭＳＳ５００は、ハンドオーバー指示(ＭＯＢ_ＨＯ_ＩＮＤ)メッセージをサービングＢＳ５４０へ送信する(ステップ５３１)。ここで、上記ＭＯＢ_ＨＯ_ＩＮＤメッセージのターゲットＢＳ識別子(Ｔａｒｇｅｔ_ＢＳ_ＩＤ)フィールドに明示された値は、特定のターゲットＢＳの識別子になることもでき、上記ターゲットＢＳとＭＳＳ５００との間であらかじめ定義された値(predefined value)になることもできる。例えば、０ｘ００００００００００００又は０ｘｆｆｆｆｆｆｆｆｆｆｆｆは、あらかじめ定義された値として使用されることができる。ＭＳＳ５００は、ＣＩＮＲスキャニングのための推薦ＢＳが２つ以上存在する場合、上記ＭＯＢ_ＨＯ_ＩＮＤメッセージのターゲットＢＳ識別子フィールドに上記あらかじめ定義された値を示すことができる。
【００９１】
従来のＭＯＢ_ＨＯ_ＩＮＤメッセージは、ＭＳＳがハンドオーバーする最終ターゲットＢＳを選択して、サービングＢＳへ通知する場合に使用された。従って、従来では、上記サービングＢＳは、上記ＭＳＳのハンドオーバーを遂行するために、上記ＭＯＢ_ＨＯ_ＩＮＤメッセージを受信しなければならない。しかしながら、サービングＢＳが、本発明によるＭＳＳの高速のハンドオーバーを支援するシステムで定義されたＭＯＢ_ＨＯ_ＩＮＤメッセージを受信することができなかった場合、又は、上記ＭＳＳが、上記ＭＯＢ_ＨＯ_ＩＮＤメッセージを上記サービングＢＳへ送信しない場合にも、本発明では、上記ＭＳＳがハンドオーバーを遂行することが可能である。これは、本発明によるＭＯＢ_ＨＯ_ＩＮＤメッセージのＴａｒｇｅｔ_ＢＳ_ＩＤフィールドに記録された値が、上記ＭＳＳがハンドオーバーを遂行する最終ターゲットＢＳのＩＤではないこともあるためである。
【００９２】
ＭＳＳ５００は、上記ＭＯＢ_ＨＯ_ＩＮＤメッセージを送信した後、上記推薦リストに含まれているＢＳに対するＣＩＮＲスキャニングを遂行し(ステップ５３３)、最適のターゲットＢＳ(以下、“新規サービングＢＳ”と称する)を選択する。例えば、ＭＳＳ５００は、上記スキャニングの結果、スキャンされたＢＳのうち、第２のターゲットＢＳ５８０のＣＩＮＲ値がもっとも大きいと、第２のターゲットＢＳ５８０を新規サービングＢＳとして選択することができる。
【００９３】
一方、本発明で提案する方式では、ＭＳＳ５００が上記推薦ターゲットＢＳからのパイロットチャンネル信号のＣＩＮＲスキャニングを遂行した後、サービングＢＳ５４０へ上記推薦ターゲットＢＳのＣＩＮＲ値を含む上記ＭＯＢ_ＭＳＳＨＯ_ＲＳＰメッセージを送信する必要がないので、上記推薦リストに属しているすべてのＢＳに対するＣＩＮＲスキャニングを遂行する必要はない。例えば、まず、ＭＳＳ５００がハンドオーバーを遂行することができる基準となるＣＩＮＲしきい値が存在すると仮定すると、ＭＳＳ５００は、まず、第２のターゲットＢＳ５８０に対するＣＩＮＲスキャニングを実施する。ＭＳＳ５００は、上記スキャニング結果値が上記ＣＩＮＲしきい値より大きくて、ハンドオーバーが十分に可能であると、第１のターゲットＢＳ５６０に対するＣＩＮＲスキャニングを遂行する必要がない。
【００９４】
従って、ＭＳＳ５００は、第２のターゲットＢＳ５８０がブローキャストするＵＬ_ＭＡＰメッセージをチェックすることによって、自身のために設定されているＦａｓｔ_ＵＬ_Ｒａｎｇｉｎｇ＿ＩＥを読んで、第２のターゲットＢＳ５８０へレンジング要求(Ｒａｎｇｉｎｇ Ｒｅｑｕｅｓｔ；以下、‘ＲＮＧ−ＲＥＱ’と称する)メッセージを送信することによって、ネットワーク再進入過程を開始することができる。
【００９５】
上記ネットワーク再進入過程において、ＭＳＳ５００は、ＣＩＮＲスキャニングを遂行した後に、サービングＢＳ５４０へ戻って、サービングＢＳ５４０との同期を獲得し、レンジング過程を遂行することによって、上記ＭＯＢ_ＭＳＳＨＯ_ＲＳＰメッセージ及び上記ＭＯＢ_ＨＯ_ＩＮＤメッセージを送信するのに必要とされる時間を減少させることができる。また、ＭＳＳ５００は、上記推薦リストに含まれているすべてのターゲットＢＳに対するＣＩＮＲスキャニングを遂行する必要なしに、早期にＣＩＮＲスキャニングを完了した後に、即座にネットワーク再進入過程を開始することによって、付加的に時間をさらに節約することができる。
【００９６】
上記ＣＩＮＲスキャニング過程を完了した後に、ＭＳＳ５００は、新規サービングＢＳとして選択された第２のターゲットＢＳ５８０が送信した上記Ｆａｓｔ_ＵＬ_Ｒａｎｇｉｎｇ＿ＩＥを受信し(ステップ５３７)、第２のターゲットＢＳ５８０とハンドオーバーによるネットワーク再進入過程を遂行する(ステップ５３９、ステップ５４１、及びステップ５４３)。
【００９７】
サービングＢＳ５４０は、ＭＳＳ５００の新規サービングＢＳである第２のターゲットＢＳ５８０からＭＳＳ５００に対する認証手順の要請を受信すると、ＭＳＳ５００が第２のターゲットＢＳ５８０にハンドオーバーを遂行していることを認知する。上記推薦リスト上のＢＳのうち、新規サービングＢＳである第２のターゲットＢＳ５８０を除いた残りの推薦ＢＳの各々へ、ハンドオーバー撤回(ＨＯ_ＷＩＴＨＤＲＡＷ)メッセージを送信する(ステップ５４５)。＜表１７＞は、上記ＨＯ_ＷＩＴＨＤＲＡＷメッセージのフォーマットを示す。
【００９８】
【表１７】
2007536784.tif 000019
【００９９】
図５では、上記推薦リストが第１のターゲットＢＳ５６０及び第２のターゲットＢＳ５８０のみを含んでいると仮定するので、上記ＨＯ_ＷＩＴＨＤＲＡＷメッセージは、第１のターゲットＢＳ５６０のみへ送信される。上記ＨＯ_ＷＩＴＨＤＲＡＷメッセージを受信した第１のターゲットＢＳ５６０は、ＭＳＳ５００のための上記Ｆａｓｔ_ＵＬ_Ｒａｎｇｉｎｇ＿ＩＥを削除することによって、予約されたアップリンクリソースを解除する。一方、ＭＳＳ５００が第２のターゲットＢＳ５８０を最終ターゲットＢＳとして選択したことを認知する時点後には、サービングＢＳ５４０は、上記ＨＯ_ＷＩＴＨＤＲＡＷメッセージをいつでも送信することができる。
【０１００】
例えば、サービングＢＳ５４０は、上記ＭＯＢ_ＨＯ_ＩＮＤメッセージに含まれている認証に関連したＨＭＡＣ(Ｈａｓｈｅｄ  Ｍｅｓｓａｇｅ  Ａｕｔｈｅｎｔｉｃａｔｉｏｎ  Ｃｏｄｅ)Ｔｕｐｌｅフィールドを使用して、第２のターゲットＢＳ５８０からのＭＳＳ５００の認証要求に対して応答する時点で、上記ＨＯ_ＷＩＴＨＤＲＡＷを送信することができる。また、ＭＳＳ５００が新規サービングＢＳである第２のターゲットＢＳ５８０へのネットワーク再進入過程を完了する場合に、第２のターゲットＢＳ５８０が第２のターゲットＢＳ５８０に隣接したＢＳへＭＳＳ５００のハンドオーバーが完了したことを通知するために送信するバックボーンメッセージを受信する時点で、サービングＢＳ５４０は、上記ＨＯ_ＷＩＴＨＤＲＡＷを送信することもできる。
【０１０１】
また、ハンドオーバーターゲットＢＳから除外された第１のターゲットＢＳ５６０が予め定められた時間の間に、ＭＳＳ５００から上記ＲＮＧ−ＲＥＱメッセージを受信することができないと、ＭＳＳ５００は、ＭＳＳ５００のために割り当てられたＦａｓｔ_ＵＬ_Ｒａｎｇｉｎｇ＿ＩＥを解除することができる。本発明の実施形態では、上記Ｆａｓｔ_ＵＬ_Ｒａｎｇｉｎｇ＿ＩＥを解除する方式を使用して、以前のサービングＢＳ５４０が上記ＨＯ_ＷＩＴＨＤＲＡＷメッセージを送信するとしても、上記メッセージは、他の方法で送信されることができる。
【０１０２】
図６は、本発明の実施形態によるＩＥＥＥ８０２．１６ｅ通信システムにおけるＢＳの要求によるＭＳＳのハンドオーバー過程を示すフローチャートである。
【０１０３】
図６を参照すると、まず、ステップ６１１で、上記ＭＳＳは、上記サービングＢＳからハンドオーバーを要求するＭＯＢ_ＢＳＨＯ_ＲＥＱメッセージを受信する。ステップ６１３で、上記ＭＯＢ_ＢＳＨＯ_ＲＥＱメッセージに含まれているＨＯ_ｏｐｔｉｏｎフィールドに記録された値が‘１’に設定される場合に、上記ＭＳＳは、高速のハンドオーバーの遂行が可能であることを認知した後に、ステップ６２５へ進行して、高速のハンドオーバー過程である次の過程を遂行する。しかしながら、上記ＨＯ_ｏｐｔｉｏｎフィールドに記録された値が‘０’に設定される場合に、上記ＭＳＳは、ステップ６１５へ進行して、従来のハンドオーバー過程である次の過程を遂行する。
【０１０４】
まず、ステップ６１５で、上記ＭＳＳは、上記ＭＯＢ_ＢＳＨＯ_ＲＥＱメッセージに含まれている推薦ＢＳからのパイロットチャンネル信号の各々に対してＣＩＮＲスキャニングを遂行し、ステップ６１７へ進行する。ステップ６１７で、上記ＭＳＳは、自身が属しているサービングＢＳへＭＯＢ_ＭＳＳＨＯ_ＲＳＰメッセージを送信する。ここで、上記ＭＯＢ_ＭＳＳＨＯ_ＲＳＰメッセージは、上記スキャニングされた各ＢＳに対するＣＩＮＲ値を含む。
【０１０５】
ステップ６１９で、上記ＭＳＳは、上記スキャニングされたＢＳのうち、ハンドオーバーすることを決定した新規サービングＢＳを選択する。上記ＭＳＳは、例えば、ＣＩＮＲ値がもっとも大きいＢＳを、新規サービングＢＳとして選択することができる。ステップ６２１で、上記ＭＳＳは、上記ＭＳＳと上記サービングＢＳとの間であらかじめ定義された値を含むＭＯＢ_ＨＯ_ＩＮＤメッセージを送信する。ここで、上記ＭＳＳは、上記ＭＯＢ_ＨＯ_ＩＮＤメッセージを上記サービングＢＳへ送信しないこともある。
【０１０６】
ステップ６３３で、上記ＭＳＳは、上記新規サービングＢＳと同期を一致させ、ＵＬ_ＭＡＰを受信して、ネットワーク再進入過程に関連した情報を獲得する。上記ＭＳＳは、例えば、上記ＵＬ_ＭＡＰに含まれているＦａｓｔ_ＵＬ_Ｒａｎｇｉｎｇ＿ＩＥ情報を感知することによって、コンテンションフリー(ｃｏｎｔｅｎｔｉｏｎ ｆｒｅｅ)方式にて、上記新規サービングＢＳとレンジング過程を遂行することができる。ステップ６３５で、上記ＭＳＳは、上記ハンドオーバーすることを決定したターゲットＢＳ、すなわち、新規サービングＢＳとネットワーク再進入過程を遂行して、通信サービスを再開する。
【０１０７】
一方、ステップ６２５で、上記ＭＳＳは、ＨＯ_ＩＮＤ_ｔｙｐｅフィールドが‘０’に設定され、Ｔａｒｇｅｔ_ＢＳ_ＩＤフィールドが予め定義された値に設定されたＭＯＢ_ＨＯ_ＩＮＤメッセージを、上記サービングＢＳへ送信する。ここで、予め定義された値とは、例えば、高速のハンドオーバーを支援するＢＳのＩＤのうちの１つではない０ｘ００００００００００００又は０ｘｆｆｆｆｆｆｆｆｆｆｆｆを意味する。すなわち、上記ＭＳＳは、高速のハンドオーバーが可能なＢＳのうちの任意のＢＳを選択して、上記Ｔａｒｇｅｔ_ＢＳ_ＩＤフィールドをそのＢＳのＩＤ値に設定することができる。
【０１０８】
ステップ６２９で、上記ＭＳＳは、上記サービングＢＳが推薦したターゲットＢＳに対してＣＩＮＲスキャニングを遂行する。ステップ６３１で、上記ＭＳＳは、スキャニング結果に従って、新規サービングＢＳを選択した後、ステップ６３３及びステップ６３５を遂行する。一方、上記ＭＳＳは、推薦ＢＳの各々に対してＣＩＮＲスキャニングを遂行することによって、上記新規サービングＢＳを選択することもできる。
【０１０９】
また、上記ＭＳＳは、任意の推薦ＢＳに対してＣＩＮＲスキャニングを遂行することができ、上記スキャニング結果があらかじめ定められた条件を満足すると、残りの推薦ＢＳに対するＣＩＮＲスキャニングを中止した後に、上記任意の推薦ＢＳを新規サービングＢＳとして選択することもできる。
【０１１０】
図７は、本発明の実施形態によるＩＥＥＥ８０２.１６ｅ通信システムにおけるＢＳの要求によるハンドオーバーの間のサービングＢＳの動作過程を示すフローチャートである。
【０１１１】
図７を参照すると、まず、ステップ７１１で、上記サービングＢＳは、特定のＭＳＳに対してハンドオーバーが必要であることを感知し、ステップ７１３へ進行する。ステップ７１３で、上記サービングＢＳは、上記ＭＳＳが要求したサービスレベルを、上記隣接ＢＳが支援することができるか否かを確認するために、上記隣接ＢＳの各々へＨＯ_ＰＲＥ_ＮＯＴＩＦＩＣＡＴＩＯＮメッセージを送信する。ステップ７１５で、上記サービングＢＳは、上記ＨＯ_ＰＲＥ_ＮＯＴＩＦＩＣＡＴＩＯＮメッセージに応じて、上記隣接ＢＳの各々から受信されたＨＯ_ＰＲＥ_ＮＯＴＩＦＩＣＡＴＩＯＮ_ＲＥＳＰＯＮＳＥメッセージを使用して、推薦ＢＳリストを生成する。ステップ７１７で、上記サービングＢＳが上記ＭＳＳに対する高速のハンドオーバーを支援することができると、上記サービングＢＳは、ステップ７２７へ進行する。しかしながら、上記サービングＢＳが上記ＭＳＳに対する高速のハンドオーバーを支援することができないと、ステップ７１９へ進行する。
【０１１２】
ステップ７１９で、上記サービングＢＳは、上記生成された推薦ＢＳリストと、上記推薦ＢＳの各々のサービスレベル予測(Ｓｅｒｖｉｃｅ  Ｌｅｖｅｌ  Ｐｒｅｄｉｃｔｉｏｎ；以下、‘ＳＬＰ’と称する)情報とを含んでいるＭＯＢ_ＢＳＨＯ_ＲＥＱメッセージを上記ＭＳＳへ送信する。ステップ７２１で、上記サービングＢＳは、上記ＭＳＳから、上記推薦ＢＳの各々に対するＣＩＮＲスキャニング結果を含むＭＯＢ_ＭＳＳＨＯ_ＲＳＰメッセージを受信する。ステップ７２３で、上記サービングＢＳは、上記ＭＳＳがハンドオーバーすることを決定したターゲットＢＳ、すなわち、新規サービングＢＳのＩＤを含むＭＯＢ_ＨＯ_ＩＮＤメッセージを受信する。ステップ７２５で、上記サービングＢＳは、上記新規サービングＢＳへＨＯ_ＣＯＮＦＩＲＭメッセージを送信する。ステップ７４１で、上記サービングＢＳは、上記ＭＳＳに設定されている接続に関する情報を解除するか、または、あらかじめ定められた時間の間、接続情報を維持する。
【０１１３】
ステップ７２７で、上記サービングＢＳは、上記生成された推薦ＢＳリストと、上記推薦ＢＳの各々のＳＬＰ情報とを含んでいるＭＯＢ_ＢＳＨＯ_ＲＥＱメッセージを、上記ＭＳＳへ送信する。上記ＭＯＢ_ＢＳＨＯ_ＲＥＱメッセージ内のＨＯ_ｏｐｔｉｏｎフィールドは、‘１’に設定される。
【０１１４】
ステップ７２９で、上記サービングＢＳは、上記推薦ＢＳへＨＯ_ＣＯＮＦＩＲＭメッセージを送信し、ステップ７３１へ進行する。ステップ７３１で、上記サービングＢＳは、上記ＭＳＳからＭＯＢ_ＨＯ_ＩＮＤメッセージを受信し、ステップ７３３へ進行する。ステップ７３３で、上記サービングＢＳは、上記ＭＳＳが新規サービングＢＳを選択したことを認知する。上述したように、上記サービングＢＳが上記ＨＯ_ＷＩＴＨＤＲＡＷメッセージを送信する時点は、上記ＭＳＳが新規サービングＢＳを選択したことを認知する時点後であれば、いつでも可能である。従って、上記サービングＢＳが上記ＭＯＢ_ＨＯ_ＩＮＤメッセージに含まれている認証に関連したＨＭＡＣ(Ｈａｓｈｅｄ  Ｍｅｓｓａｇｅ  Ａｕｔｈｅｎｔｉｃａｔｉｏｎ  Ｃｏｄｅ)Ｔｕｐｌｅフィールドを使用して、上記ＭＳＳがハンドオーバーすることを決定した新規サービングＢＳからの上記ＭＳＳの認証要求に対して応答する時点で、上記サービングＢＳは、上記ＨＯ_ＷＩＴＨＤＲＡＷメッセージを送信することができる。
【０１１５】
また、上記ＭＳＳが新規サービングＢＳへのネットワーク再進入過程を完了すると、上記新規サービングＢＳは、隣接ＢＳの各々へ、上記ＭＳＳのハンドオーバーが完了したことを示すバックボーンメッセージを送信する。上記サービングＢＳは、上記バックボーンメッセージを受信すると、上記推薦ＢＳリスト上の上記新規サービングＢＳを除いたＢＳへ、上記ＨＯ_ＷＩＴＨＤＲＡＷメッセージを送信することもできる。従って、ステップ７３５で、上記サービングＢＳは、上記推薦ＢＳリスト上のＢＳのうち、上記最終ターゲットＢＳを除いたＢＳを選択する。
【０１１６】
ステップ７３７で、上記サービングＢＳは、上記選択されたＢＳ、すなわち、ターゲットＢＳへ、上記ＨＯ_ＷＩＴＨＤＲＡＷメッセージを送信する。上記ＨＯ_ＷＩＴＨＤＲＡＷメッセージを受信したターゲットＢＳは、上記ＭＳＳに割り当てられたＦａｓｔ_ＵＬ_Ｒａｎｇｉｎｇ＿ＩＥを解除し、自身が保存している上記ＭＳＳに関するハンドオーバー過程情報を削除する。
【０１１７】
図８は、本発明の実施形態によるＩＥＥＥ８０２.１６ｅ通信システムにおけるＢＳの要求によるハンドオーバーの間のターゲットＢＳの動作過程を示すフローチャートである。
【０１１８】
図８を参照すると、まず、ステップ８１１で、ターゲットＢＳは、サービングＢＳから、特定のＭＳＳのためのＳＬＰを要求するＨＯ_ＰＲＥ_ＮＯＴＩＦＩＣＡＴＩＯＮメッセージを受信し、ステップ８１３へ進行する。ステップ８１３で、上記ターゲットＢＳは、上記ＨＯ_ＰＲＥ_ＮＯＴＩＦＩＣＡＴＩＯＮに応じて、ＨＯ_ＰＲＥ_ＮＯＴＩＦＩＣＡＴＩＯＮ_ＲＥＳＰＯＮＳＥメッセージを上記サービングＢＳへ送信し、ステップ８１５へ進行する。ステップ８１５で、上記ターゲットＢＳは、上記サービングＢＳからＨＯ_ＣＯＮＦＩＲＭメッセージを受信すると、ステップ８１７へ進行する。ステップ８１７で、上記ターゲットＢＳは、Ｆａｓｔ_ＵＬ_Ｒａｎｇｉｎｇ＿ＩＥを含むＵＬ_ＭＡＰメッセージを上記ＭＳＳへ送信する。
【０１１９】
ステップ８１９で、上記ターゲットＢＳは、上記サービングＢＳからＨＯ_ＷＩＴＨＤＲＡＷメッセージを受信するか否かを判断する。上記判断の結果、上記ＨＯ_ＷＩＴＨＤＲＡＷメッセージを受信すると、上記ターゲットＢＳは、ステップ８２１へ進行して、該当ＭＳＳに割り当てられた上記Ｆａｓｔ_ＵＬ_Ｒａｎｇｉｎｇ_ＩＥを解除する。
【０１２０】
しかしながら、上記ＨＯ_ＷＩＴＨＤＲＡＷメッセージを受信することができないと、上記ターゲットＢＳは、ステップ８２３で、上記ＭＳＳからＲＮＧ_ＲＥＱメッセージを受信するか否かを判断する。上記判断の結果、上記ＲＮＧ−ＲＥＱメッセージを受信すると、上記ターゲットＢＳは、ステップ８２５で、上記ＲＮＧ_ＲＥＱメッセージに応じて、ＲＮＧ_ＲＳＰメッセージを上記ＭＳＳへ送信する。
【０１２１】
ステップ８２７で、上記ターゲットＢＳは、上記ＭＳＳとレンジング過程を除いたネットワーク再進入過程を遂行する。
【０１２２】
ステップ８２３で、上記ＲＮＧ_ＲＥＱメッセージを受信することができないと、上記ターゲットＢＳは、ステップ８２４へ進行して、Ｆａｓｔ_ＵＬ_Ｒａｎｇｉｎｇ_ＩＥを解除するために設定されたタイマーの駆動が完了されたか否かを判断する。上記判断の結果、上記タイマーの駆動が完了された場合、上記ターゲットＢＳは、ステップ８２１へ進行して、上記Ｆａｓｔ_ＵＬ_Ｒａｎｇｉｎｇ_ＩＥを解除する。しかしながら、上記タイマーの駆動が完了されていない場合には、上記ターゲットＢＳは、ステップ８１９へ戻って、ＨＯ_ＷＩＴＨＤＲＡＷメッセージの受信を待機する。
【０１２３】
以上、本発明の詳細について具体的な実施形態に基づき説明してきたが、本発明の範囲を逸脱しない限り、各種の変形が可能なのは明らかである。従って、本発明の範囲は、上記実施形態に限定されるものではなく、特許請求の範囲の記載及び該記載と同等なものにより定められるべきである。
【図面の簡単な説明】
【０１２４】
【図１】従来のＩＥＥＥ８０２.１６ｅ通信システムの構造を概略的に示す図である。
【図２】従来のＩＥＥＥ８０２.１６ｅ通信システムにおけるＭＳＳの要求によるハンドオーバー過程を示すシグナリング図である。
【図３】従来のＩＥＥＥ８０２.１６ｅ通信システムにおけるＢＳの要求によるハンドオーバー過程を示すシグナリング図である。
【図４】従来のＩＥＥＥ８０２.１６ｅ通信システムにおけるＭＳＳのハンドオーバーの後に遂行されるネットワーク再進入過程を示すシグナリング図である。
【図５】本発明の実施形態によるＩＥＥＥ８０２.１６ｅ通信システムにおけるＢＳの要求によるハンドオーバーの間の高速のハンドオーバー過程を示すシグナリング図である。
【図６】本発明の実施形態によるＩＥＥＥ８０２.１６ｅ通信システムにおけるＢＳの要求によるＭＳＳの高速のハンドオーバー過程を示すフローチャートである。
【図７】本発明の実施形態によるＩＥＥＥ８０２.１６ｅ通信システムにおけるＢＳの要求によるハンドオーバーの間のサービングＢＳの動作過程を示すフローチャートである。
【図８】本発明の実施形態によるＩＥＥＥ８０２.１６ｅ通信システムにおけるＢＳの要求によるハンドオーバーの間のターゲットＢＳの動作過程を示すフローチャートである。
【符号の説明】
【０１２５】
１００    セル
１５０    セル
１１０    ＢＳ
１４０    ＢＳ
１１１，１１３，１３０，１５１，１５３    ＭＳＳ
２００    ＭＳＳ
２１０    サービングＢＳ
２２０    第１のターゲットＢＳ
２３０    第２のターゲットＢＳ
３００    ＭＳＳ
３１０    サービングＢＳ
３２０    第１のターゲットＢＳ
３３０    第２のターゲットＢＳ
４００    ＭＳＳ
４５０    最終ターゲットＢＳ
５００    ＭＳＳ
５４０    サービングＢＳ
５６０    第１のターゲットＢＳ
５８０    第２のターゲットＢＳ
５９０    第３のターゲットＢＳ
【図１】
2007536784.tif 000020
【図２】
2007536784.tif 000021
【図３】
2007536784.tif 000022
【図４】
2007536784.tif 000023
【図５】
2007536784.tif 000024
【図６】
2007536784.tif 000025
【図７】
2007536784.tif 000026
【図８】
2007536784.tif 000027
【国際調査報告】
2007536784.tif 000028
2007536784.tif 000029